(57)【要約】  本開示の実施例は、切替シナリオでのＱｏＳパラメータ処理方法および機器を提供する。切替プロセスにおいて、ＰＤＵ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＰＤＵ  ｆｌｏｗに基づくＱｏＳパラメータまたはＲＢに基づくＱｏＳパラメータに基づいて受付制御を行い、受付が成功および／または失敗したＰＤＵ  ｆｌｏｗ情報またはＲＢ情報を切替要求応答で返信する。ターゲット基地局は、受信したＰＤＵ  ｆｌｏｗ情報に基づいて、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ターゲット基地局は、受信したＰＤＵ  ｆｌｏｗ情報をコアネットワークに送信し、切替シナリオでのＱｏＳ処理を実現する。【選択図】  図５
2019525629.tif 000002
【特許請求の範囲】
【請求項１】
切替シナリオでのＱｏＳ（Ｑｕａｌｉｔｙ  ｏｆ  Ｓｅｒｖｉｃｅ）パラメータ処理方法において、
ＰＤＵ（Ｐｒｏｔｏｃｏｌ  Ｄａｔａ  Ｕｎｉｔ）フロー（ｆｌｏｗ）に基づくＱｏＳパラメータおよび／またはＲＢ（Ｒａｄｉｏ  Ｂｅａｒｅｒ）に基づくＱｏＳパラメータが含まれる切替要求メッセージを、ソース基地局からターゲット基地局に送信することを含み、
ここで、前記ＰＤＵ  ｆｌｏｗに基づくＱｏＳパラメータまたはＲＢに基づくＱｏＳパラメータは、前記ターゲット基地局の受付制御に用いられる方法。
【請求項２】
前記切替要求メッセージは、前記ソース基地局によって生成されたＰＤＵ  ｆｌｏｗからＲＢへのマッピング関係をさらに含む請求項１に記載の方法。
【請求項３】
前記ソース基地局が前記ターゲット基地局から切替応答メッセージを受信することをさらに含み、
前記切替応答メッセージは、前記ターゲット基地局の受付が成功または失敗したＰＤＵ  ｆｌｏｗの情報またはＲＢの情報を含む請求項１に記載の方法。
【請求項４】
切替シナリオでのＱｏＳパラメータ処理方法において、
ＰＤＵ  ｆｌｏｗに基づくＱｏＳパラメータおよび／またはＲＢに基づくＱｏＳパラメータが含まれる切替要求メッセージを、ターゲット基地局がソース基地局から受信することと、
前記ターゲット基地局が、前記ＰＤＵ  ｆｌｏｗに基づくＱｏＳパラメータまたはＲＢに基づくＱｏＳパラメータに基づいて、受付制御を行うこととを含む方法。
【請求項５】
前記ターゲット基地局が、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することをさらに含む請求項４に記載の方法。
【請求項６】
前記切替要求メッセージは、前記ソース基地局によって生成されたＰＤＵ  ｆｌｏｗからＲＢへのマッピング関係をさらに含み、
前記ターゲット基地局が、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することをさらに含む請求項４に記載の方法。
【請求項７】
前記ターゲット基地局から前記ソース基地局に切替要求応答メッセージを送信することをさらに含み、
前記切替要求応答メッセージは、前記ターゲット基地局の受付が成功または失敗したＰＤＵ  ｆｌｏｗの情報またはＲＢの情報を含む請求項４に記載の方法。
【請求項８】
受付したＰＤＵ  ｆｌｏｗの情報が運ばれる伝送経路更新メッセージを、前記ターゲット基地局からコアネットワーク制御プレーン機能エンティティに送信することと、
前記ターゲット基地局が、前記コアネットワーク制御プレーン機能エンティティから送信される伝送経路更新確認メッセージを受信することとをさらに含む請求項４に記載の方法。
【請求項９】
切替シナリオでのＱｏＳパラメータ処理方法において、
ＰＤＵ  ｆｌｏｗに基づくＱｏＳパラメータおよび／またはＲＢに基づくＱｏＳパラメータが含まれる切替要求メッセージを、コアネットワーク制御プレーン機能エンティティからターゲット基地局に送信することを含み、
ここで、前記ＰＤＵ  ｆｌｏｗに基づくＱｏＳパラメータまたはＲＢに基づくＱｏＳパラメータは、前記ターゲット基地局の受付制御に用いられる方法。
【請求項１０】
前記ターゲット基地局の受付が成功または失敗したＰＤＵ  ｆｌｏｗまたはＲＢの情報が含まれる切替要求確認メッセージを、前記コアネットワーク制御プレーン機能エンティティが前記ターゲット基地局から受信することと、
前記コアネットワーク制御プレーン機能エンティティからソース基地局に切替指令を送信することとをさらに含む請求項９に記載の方法。
【請求項１１】
切替シナリオでのＱｏＳパラメータ処理方法において、
ＰＤＵ  ｆｌｏｗに基づくＱｏＳパラメータおよび／またはＲＢに基づくＱｏＳパラメータが含まれる切替要求メッセージを、ターゲット基地局がコアネットワーク制御プレーン機能エンティティから受信することと、
前記ターゲット基地局が、前記ＰＤＵ  ｆｌｏｗに基づくＱｏＳパラメータまたはＲＢに基づくＱｏＳパラメータに基づいて、受付制御を行うこととを含む方法。
【請求項１２】
前記ターゲット基地局が、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することをさらに含む請求項１１に記載の方法。
【請求項１３】
前記切替要求メッセージは、ソース基地局によって生成されたＰＤＵ  ｆｌｏｗからＲＢへのマッピング関係をさらに含み、
前記ターゲット基地局が、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することをさらに含む請求項１１に記載の方法。
【請求項１４】
前記ターゲット基地局の受付が成功または失敗したＰＤＵ  ｆｌｏｗまたはＲＢの情報が含まれる切替要求確認メッセージを、前記ターゲット基地局から前記コアネットワーク制御プレーン機能エンティティに送信することをさらに含む請求項１１に記載の方法。
【請求項１５】
ＰＤＵ  ｆｌｏｗに基づくＱｏＳパラメータおよび／またはＲＢに基づくＱｏＳパラメータが含まれる切替要求メッセージを、ターゲット基地局に送信することに用いられる第１送信モジュールを含み、
ここで、前記ＰＤＵ  ｆｌｏｗに基づくＱｏＳパラメータまたはＲＢに基づくＱｏＳパラメータは、前記ターゲット基地局の受付制御に用いられるソース基地局。
【請求項１６】
前記切替要求メッセージは、前記ソース基地局によって生成されたＰＤＵ  ｆｌｏｗからＲＢへのマッピング関係をさらに含む請求項１５に記載のソース基地局。
【請求項１７】
前記ターゲット基地局から切替応答メッセージを受信することに用いられる第１受信モジュールをさらに含み、
前記切替応答メッセージは、前記ターゲット基地局の受付が成功または失敗したＰＤＵ  ｆｌｏｗまたはＲＢの情報を含む請求項１５に記載のソース基地局。
【請求項１８】
ＰＤＵ  ｆｌｏｗに基づくＱｏＳパラメータおよび／またはＲＢに基づくＱｏＳパラメータが含まれる切替要求メッセージをソース基地局から受信することに用いられる第２受信モジュールと、
前記ＰＤＵ  ｆｌｏｗに基づくＱｏＳパラメータまたはＲＢに基づくＱｏＳパラメータに基づいて、受付制御を行うことに用いられる第１受付制御モジュールとを含むターゲット基地局。
【請求項１９】
ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することに用いられる第１生成モジュールをさらに含む請求項１８に記載のターゲット基地局。
【請求項２０】
前記切替要求メッセージは、前記ソース基地局によって生成されたＰＤＵ  ｆｌｏｗからＲＢへのマッピング関係をさらに含み、
前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することに用いられる第２生成モジュールをさらに含む請求項１８に記載のターゲット基地局。
【請求項２１】
前記ソース基地局に切替要求応答メッセージを送信することに用いられる第２送信モジュールをさらに含み、
前記切替要求応答メッセージは、前記ターゲット基地局の受付が成功または失敗したＰＤＵ  ｆｌｏｗまたはＲＢの情報を含む請求項１８に記載のターゲット基地局。
【請求項２２】
受付したＰＤＵ  ｆｌｏｗの情報が運ばれる伝送経路更新メッセージを、コアネットワーク制御プレーン機能エンティティに送信することに用いられる第６送信モジュールと、
前記コアネットワーク制御プレーン機能エンティティから送信される伝送経路更新確認メッセージを受信することに用いられる第５受信モジュールとをさらに含む請求項１８に記載のターゲット基地局。
【請求項２３】
ＰＤＵ  ｆｌｏｗに基づくＱｏＳパラメータおよび／またはＲＢに基づくＱｏＳパラメータが含まれる切替要求メッセージを、ターゲット基地局に送信することに用いられる第３送信モジュールを含み、
ここで、前記ＰＤＵ  ｆｌｏｗに基づくＱｏＳパラメータまたはＲＢに基づくＱｏＳパラメータは、前記ターゲット基地局の受付制御に用いられるコアネットワーク制御プレーン機能エンティティ。
【請求項２４】
前記ターゲット基地局の受付が成功または失敗したＰＤＵ  ｆｌｏｗの情報またはＲＢの情報が含まれる切替要求確認メッセージを、前記ターゲット基地局から受信することに用いられる第３受信モジュールと、
ソース基地局に切替指令を送信することに用いられる第４送信モジュールとをさらに含む請求項２３に記載のコアネットワーク制御プレーン機能エンティティ。
【請求項２５】
ＰＤＵ  ｆｌｏｗに基づくＱｏＳパラメータおよび／またはＲＢに基づくＱｏＳパラメータが含まれる切替要求メッセージを、コアネットワーク制御プレーン機能エンティティから受信することに用いられる第４受信モジュールと、
前記ＰＤＵ  ｆｌｏｗに基づくＱｏＳパラメータまたはＲＢに基づくＱｏＳパラメータに基づいて、受付制御を行うことに用いられる第２受付制御モジュールとを含むターゲット基地局。
【請求項２６】
ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することに用いられる第３生成モジュールをさらに含む請求項２５に記載のターゲット基地局。
【請求項２７】
前記切替要求メッセージは、ソース基地局によって生成されたＰＤＵ  ｆｌｏｗからＲＢへのマッピング関係をさらに含み、
前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することに用いられる第４生成モジュールをさらに含む請求項２５に記載のターゲット基地局。
【請求項２８】
前記ターゲット基地局の受付が成功または失敗したＰＤＵ  ｆｌｏｗまたはＲＢの情報が含まれる切替要求確認メッセージを、前記コアネットワーク制御プレーン機能エンティティに送信することに用いられる第５送信モジュールをさらに含む請求項２５に記載のターゲット基地局。
【請求項２９】
プロセッサと、メモリと、トランシーバを含むソース基地局において、
前記プロセッサは、メモリからプログラムを読み取ることによって、
ＰＤＵ  ｆｌｏｗに基づくＱｏＳパラメータおよび／またはＲＢに基づくＱｏＳパラメータが含まれる切替要求メッセージを、前記トランシーバでターゲット基地局に送信するプロセスを実行することに用いられ、
ここで、前記ＰＤＵ  ｆｌｏｗに基づくＱｏＳパラメータまたはＲＢに基づくＱｏＳパラメータは、前記ターゲット基地局の受付制御に用いられ、
前記トランシーバは、データの送受信に用いられ、
前記メモリは、前記プロセッサによる操作実行に用いられるデータを記憶することができるソース基地局。
【請求項３０】
プロセッサと、メモリと、トランシーバを含むターゲット基地局において、
前記プロセッサは、メモリからプログラムを読み取ることによって、
ＰＤＵ  ｆｌｏｗに基づくＱｏＳパラメータおよび／またはＲＢに基づくＱｏＳパラメータが含まれる切替要求メッセージを、ソース基地局から前記トランシーバで受信するプロセスと、
前記ＰＤＵ  ｆｌｏｗに基づくＱｏＳパラメータまたはＲＢに基づくＱｏＳパラメータに基づいて、受付制御を行うプロセスとを実行することに用いられ、
前記トランシーバは、データの送受信に用いられ、
前記メモリは、前記プロセッサによる操作実行に用いられるデータを記憶することができるターゲット基地局。
【請求項３１】
プロセッサと、メモリと、トランシーバを含むコアネットワーク制御プレーン機能エンティティにおいて、
前記プロセッサは、メモリからプログラムを読み取ることによって、
ＰＤＵ  ｆｌｏｗに基づくＱｏＳパラメータおよび／またはＲＢに基づくＱｏＳパラメータが含まれる切替要求メッセージを、前記トランシーバでターゲット基地局に送信するプロセスを実行することに用いられ、
ここで、前記ＰＤＵ  ｆｌｏｗに基づくＱｏＳパラメータまたはＲＢに基づくＱｏＳパラメータは、前記ターゲット基地局の受付制御に用いられ、
前記トランシーバは、データの送受信に用いられ、
前記メモリは、前記プロセッサによる操作実行に用いられるデータを記憶することができるコアネットワーク制御プレーン機能エンティティ。
【請求項３２】
プロセッサと、メモリと、トランシーバを含むターゲット基地局において、
前記プロセッサは、メモリからプログラムを読み取ることによって、
ＰＤＵ  ｆｌｏｗに基づくＱｏＳパラメータおよび／またはＲＢに基づくＱｏＳパラメータが含まれる切替要求メッセージを、コアネットワーク制御プレーン機能エンティティから前記トランシーバで受信するプロセスと、
前記ＰＤＵ  ｆｌｏｗに基づくＱｏＳパラメータまたはＲＢに基づくＱｏＳパラメータに基づいて、受付制御を行うプロセスとを実行することに用いられ、
前記トランシーバは、データの送受信に用いられ、
前記メモリは、前記プロセッサによる操作実行に用いられるデータを記憶することができるターゲット基地局。
【発明の詳細な説明】
【技術分野】
【０００１】
本願は、２０１６年８月１２日に中国特許庁に提出された中国特許出願２０１６１０６６３５８０．１の優先権を主張し、その全ての内容が援用によりここに取り込まれる。
本開示は、通信技術分野に係り、特に切替シナリオでのサービス品質ＱｏＳ（Ｑｕａｌｉｔｙ  ｏｆ  Ｓｅｒｖｉｃｅ）パラメータ処理方法および機器に係る。
【背景技術】
【０００２】
図１には、関連技術のＬＴＥ（Ｌｏｎｇ  Ｔｅｒｍ  Ｅｖｏｌｕｔｉｏｎ）システムのベアラモデル（Ｂｅａｒｅｒ  ｍｏｄｅｌ）が示されている。関連技術のＬＴＥシステムにおいて、コアネットワーク制御プレーン機能エンティティは、Ｅ−ＲＡＢ（Ｅｖｏｌｖｅｄ  Ｒａｄｉｏ  Ａｃｃｅｓｓ  Ｂｅａｒｅｒ）のＱｏＳパラメータの生成を担う。エアインタフェースのＲＢ（Ｒａｄｉｏ  Ｂｅａｒｅｒ）とＥ−ＲＡＢとは一対一のマッピング関係であるため、コアネットワーク制御プレーン機能エンティティで生成されたＥ−ＲＡＢのＱｏＳパラメータは、直接エアインタフェースのＲＢのＱｏＳパラメータに用いられる。
【０００３】
移動通信ネットワークにおける異種アクセス技術によって、ＧＴＰ（ＧＰＲＳ（Ｇｅｎｅｒａｌ  Ｐａｃｋｅｔ  Ｒａｄｉｏ  Ｓｅｒｖｉｃｅ）  Ｔｕｎｎｅｌｉｎｇ  Ｐｒｏｔｏｃｏｌ）やＰＭＩＰ（Ｐｒｏｘｙ  Ｍｏｂｉｌｅ  Ｉｎｔｅｒｎｅｔ  Ｐｒｏｔｏｃｏｌ）など、多種類のトンネリングプロトコルは、移動性およびＱｏＳを保障するためにコアネットワーク制御プレーン機能エンティティにサポートされる必要がある。一方、制御とフォワーディングが分離された５Ｇネットワークにおいて、多くのトンネリングプロトコルをサポートすることによって、制御論理とシグナリングのやり取りが複雑になり、システムの性能に影響を与える。したがって、５Ｇネットワークにおいて、フォワーディングプロトコルの簡単化、ＱｏＳスケジューリングポリシーの最適化、フォワーディングプレーンのデータパケットフォワーディング能力の強化など、通用フォワーディングプレーンでのＱｏＳのサポートを強化することが考えられる。ＬＴＥネットワークが長期にわたって存在するため、将来の５Ｇネットワークの接続管理メカニズムでは、ＥＰＳ（Ｅｖｏｌｖｅｄ  Ｐａｃｋｅｔ  Ｓｙｓｔｅｍ）との接続アクセスの適合性を考慮する必要もあり、接続管理によって、引き続き相互運用管理機能（Ｉｎｔｅｒｏｐｅｒａｂｉｌｉｔｙ  ｍａｎａｇｅｍｅｎｔ  ｆｕｎｃｔｉｏｎ）を提供してＬＴＥネットワークのトンネル管理メッセージを処理してトンネル管理プロセスを完成する可能性もある。
【０００４】
将来の５Ｇのコアネットワーク制御プレーン機能エンティティにベアラ（Ｂｅａｒｅｒ）の概念がないため、コアネットワーク制御プレーン機能エンティティＣＮ−ＣからＮＧ−ＮＢに配信するＱｏＳパラメータは、フロー（ｆｌｏｗ）を粒度に配置される。一方、アクセスネットワークＮＧ−ＮＢが依然としてＲＢを粒度にＱｏＳ管理を行うため、アクセスネットワークにおいて、ＲＢレベルのＱｏＳパラメータを生成して、ＮＧ−ＮＢとＵＥ、および、ＮＧ−ＮＢとほかの無線アクセスエンティティとのやり取りプロセスに用いる必要がある。
【０００５】
現在、５Ｇの初期研究段階にある。現在公開されている資料では、切替プロセスで新規のＱｏＳメカニズムに基づく処理が提案されていない。
【発明の概要】
【発明が解決しようとする課題】
【０００６】
上述した技術課題に鑑み、本開示の実施例は、切替シナリオでのＱｏＳパラメータ処理方法および機器を提供して、切替シナリオでのＱｏＳの処理を解決する。
【課題を解決するための手段】
【０００７】
本開示の実施例の第１態様として、切替シナリオでのＱｏＳパラメータ処理方法を提供する。前記方法において、ＰＤＵ（Ｐｒｏｔｏｃｏｌ  Ｄａｔａ  Ｕｎｉｔ）  ｆｌｏｗに基づくＱｏＳパラメータおよび／またはＲＢに基づくＱｏＳパラメータが含まれる切替要求メッセージを、ソース基地局からターゲット基地局に送信することを含む。ここで、前記ＰＤＵ  ｆｌｏｗに基づくＱｏＳパラメータまたはＲＢに基づくＱｏＳパラメータは、前記ターゲット基地局の受付制御に用いられる。
【０００８】
選択可能に、前記切替要求メッセージは、前記ソース基地局によって生成されたＰＤＵ  ｆｌｏｗからＲＢへのマッピング関係をさらに含む。
【０００９】
選択可能に、前記方法において、前記ソース基地局が前記ターゲット基地局から切替応答メッセージを受信することをさらに含む。前記切替応答メッセージは、前記ターゲット基地局による受付が成功または失敗したＰＤＵ  ｆｌｏｗの情報またはＲＢの情報を含む。
【００１０】
本開示の実施例の第２態様として、切替シナリオでのＱｏＳパラメータ処理方法を提供する。前記方法において、ＰＤＵ  ｆｌｏｗに基づくＱｏＳパラメータおよび／またはＲＢに基づくＱｏＳパラメータが含まれる切替要求メッセージを、ターゲット基地局がソース基地局から受信することと、前記ターゲット基地局が、前記ＰＤＵ  ｆｌｏｗに基づくＱｏＳパラメータまたはＲＢに基づくＱｏＳパラメータに基づいて、受付制御（Ａｄｍｉｓｓｉｏｎ  ｃｏｎｔｒｏｌ）を行うこととを含む。
【００１１】
選択可能に、前記方法において、前記ターゲット基地局が、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することをさらに含む。
【００１２】
選択可能に、前記切替要求メッセージは、前記ソース基地局によって生成されたＰＤＵ  ｆｌｏｗからＲＢへのマッピング関係をさらに含む。前記方法において、前記ターゲット基地局が、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することをさらに含む。
【００１３】
選択可能に、前記方法において、前記ターゲット基地局から前記ソース基地局に切替要求応答メッセージを送信することをさらに含む。前記切替要求応答メッセージは、前記ターゲット基地局の受付が成功または失敗したＰＤＵ  ｆｌｏｗの情報またはＲＢの情報を含む。
【００１４】
選択可能に、前記方法において、受付したＰＤＵ  ｆｌｏｗの情報が運ばれる伝送経路更新メッセージを、前記ターゲット基地局からコアネットワーク制御プレーン機能エンティティに送信することと、前記ターゲット基地局が、前記コアネットワーク制御プレーン機能エンティティから送信される伝送経路更新確認メッセージを受信することとをさらに含む。
【００１５】
本開示の実施例の第３態様として、切替シナリオでのＱｏＳパラメータ処理方法を提供する。
前記方法において、ＰＤＵ  ｆｌｏｗに基づくＱｏＳパラメータおよび／またはＲＢに基づくＱｏＳパラメータが含まれる切替要求メッセージを、コアネットワーク制御プレーン機能エンティティからターゲット基地局に送信することを含む。ここで、前記ＰＤＵ  ｆｌｏｗに基づくＱｏＳパラメータまたはＲＢに基づくＱｏＳパラメータは、前記ターゲット基地局の受付制御に用いられる。
【００１６】
選択可能に、前記方法において、前記ターゲット基地局の受付が成功または失敗したＰＤＵ  ｆｌｏｗまたはＲＢの情報が含まれる切替要求確認メッセージを、前記コアネットワーク制御プレーン機能エンティティが前記ターゲット基地局から受信することと、前記コアネットワーク制御プレーン機能エンティティからソース基地局に切替指令を送信することとをさらに含む。
【００１７】
本開示の実施例の第４態様として、切替シナリオでのＱｏＳパラメータ処理方法を提供する。前記方法において、ＰＤＵ  ｆｌｏｗに基づくＱｏＳパラメータおよび／またはＲＢに基づくＱｏＳパラメータが含まれる切替要求メッセージを、ターゲット基地局がコアネットワーク制御プレーン機能エンティティから受信することと、前記ターゲット基地局が、前記ＰＤＵ  ｆｌｏｗに基づくＱｏＳパラメータまたはＲＢに基づくＱｏＳパラメータに基づいて、受付制御を行うこととを含む。
【００１８】
選択可能に、前記方法において、前記ターゲット基地局が、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することをさらに含む。
【００１９】
選択可能に、前記切替要求メッセージは、ソース基地局によって生成されたＰＤＵ  ｆｌｏｗからＲＢへのマッピング関係をさらに含む。前記方法において、前記ターゲット基地局が、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することをさらに含む。
【００２０】
選択可能に、前記方法において、前記ターゲット基地局の受付が成功または失敗したＰＤＵ  ｆｌｏｗまたはＲＢの情報が含まれる切替要求確認メッセージを、前記ターゲット基地局から前記コアネットワーク制御プレーン機能エンティティに送信することをさらに含む。
【００２１】
本開示の実施例の第５態様として、ソース基地局を提供する。前記ソース基地局は、ＰＤＵ  ｆｌｏｗに基づくＱｏＳパラメータおよび／またはＲＢに基づくＱｏＳパラメータが含まれる切替要求メッセージを、ターゲット基地局に送信することに用いられる第１送信モジュールを含む。ここで、前記ＰＤＵ  ｆｌｏｗに基づくＱｏＳパラメータまたはＲＢに基づくＱｏＳパラメータは、前記ターゲット基地局の受付制御に用いられる。
【００２２】
選択可能に、前記切替要求メッセージは、前記ソース基地局によって生成されたＰＤＵ  ｆｌｏｗからＲＢへのマッピング関係をさらに含む。
【００２３】
選択可能に、前記ソース基地局は、前記ターゲット基地局から切替応答メッセージを受信することに用いられる第１受信モジュールをさらに含む。前記切替応答メッセージは、前記ターゲット基地局の受付が成功または失敗したＰＤＵ  ｆｌｏｗまたはＲＢの情報を含む。
【００２４】
本開示の実施例の第６態様として、ターゲット基地局を提供する。前記ターゲット基地局は、ＰＤＵ  ｆｌｏｗに基づくＱｏＳパラメータおよび／またはＲＢに基づくＱｏＳパラメータが含まれる切替要求メッセージをソース基地局から受信することに用いられる第２受信モジュールと、前記ＰＤＵ  ｆｌｏｗに基づくＱｏＳパラメータまたはＲＢに基づくＱｏＳパラメータに基づいて、受付制御を行うことに用いられる第１受付制御モジュールとを含む。
【００２５】
選択可能に、前記ターゲット基地局は、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することに用いられる第１生成モジュールをさらに含む。
【００２６】
選択可能に、前記切替要求メッセージは、前記ソース基地局によって生成されたＰＤＵ  ｆｌｏｗからＲＢへのマッピング関係をさらに含む。前記ターゲット基地局は、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することに用いられる第２生成モジュールをさらに含む。
【００２７】
選択可能に、前記ターゲット基地局は、前記ソース基地局に切替要求応答メッセージを送信することに用いられる第２送信モジュールをさらに含む。前記切替要求応答メッセージは、前記ターゲット基地局の受付が成功または失敗したＰＤＵ  ｆｌｏｗまたはＲＢの情報を含む。
【００２８】
選択可能に、前記ターゲット基地局は、受付したＰＤＵ  ｆｌｏｗの情報が運ばれる伝送経路更新メッセージを、コアネットワーク制御プレーン機能エンティティに送信することに用いられる第６送信モジュールと、前記コアネットワーク制御プレーン機能エンティティから送信される伝送経路更新確認メッセージを受信することに用いられる第５受信モジュールとをさらに含む。
【００２９】
本開示の実施例の第７態様として、コアネットワーク制御プレーン機能エンティティを提供する。前記コアネットワーク制御プレーン機能エンティティは、ＰＤＵ  ｆｌｏｗに基づくＱｏＳパラメータおよび／またはＲＢに基づくＱｏＳパラメータが含まれる切替要求メッセージを、ターゲット基地局に送信することに用いられる第３送信モジュールを含む。ここで、前記ＰＤＵ  ｆｌｏｗに基づくＱｏＳパラメータまたはＲＢに基づくＱｏＳパラメータは、前記ターゲット基地局の受付制御に用いられる。
【００３０】
選択可能に、前記コアネットワーク制御プレーン機能エンティティは、前記ターゲット基地局の受付が成功または失敗したＰＤＵ  ｆｌｏｗの情報またはＲＢの情報が含まれる切替要求確認メッセージを、前記ターゲット基地局から受信することに用いられる第３受信モジュールと、ソース基地局に切替指令を送信することに用いられる第４送信モジュールとをさらに含む。
【００３１】
本開示の実施例の第８態様として、ターゲット基地局を提供する。前記ターゲット基地局は、ＰＤＵ  ｆｌｏｗに基づくＱｏＳパラメータおよび／またはＲＢに基づくＱｏＳパラメータが含まれる切替要求メッセージを、コアネットワーク制御プレーン機能エンティティから受信することに用いられる第４受信モジュールと、前記ＰＤＵ  ｆｌｏｗに基づくＱｏＳパラメータまたはＲＢに基づくＱｏＳパラメータに基づいて、受付制御を行うことに用いられる第２受付制御モジュールとを含む。
【００３２】
選択可能に、前記ターゲット基地局は、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することに用いられる第３生成モジュールをさらに含む。
【００３３】
選択可能に、前記切替要求メッセージは、ソース基地局によって生成されたＰＤＵ  ｆｌｏｗからＲＢへのマッピング関係をさらに含む。
前記ターゲット基地局は、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することに用いられる第４生成モジュールをさらに含む。
【００３４】
選択可能に、前記ターゲット基地局は、前記ターゲット基地局の受付が成功または失敗したＰＤＵ  ｆｌｏｗまたはＲＢの情報が含まれる切替要求確認メッセージを、前記コアネットワーク制御プレーン機能エンティティに送信することに用いられる第５送信モジュールをさらに含む。
【００３５】
本開示の実施例の第９態様として、ソース基地局を提供する。前記ソース基地局は、プロセッサと、メモリと、トランシーバを含む。前記プロセッサは、メモリからプログラムを読み取ることによって、ＰＤＵ  ｆｌｏｗに基づくＱｏＳパラメータおよび／またはＲＢに基づくＱｏＳパラメータが含まれる切替要求メッセージを、前記トランシーバでターゲット基地局に送信するプロセスを実行することに用いられる。ここで、前記ＰＤＵ  ｆｌｏｗに基づくＱｏＳパラメータまたはＲＢに基づくＱｏＳパラメータは、前記ターゲット基地局の受付制御に用いられる。前記トランシーバは、データの送受信に用いられる。前記メモリは、前記プロセッサによる操作実行に用いられるデータを記憶することができる。
【００３６】
本開示の実施例の第１０態様として、ターゲット基地局を提供する。前記ターゲット基地局は、プロセッサと、メモリと、トランシーバを含む。前記プロセッサは、メモリからプログラムを読み取ることによって、ＰＤＵ  ｆｌｏｗに基づくＱｏＳパラメータおよび／またはＲＢに基づくＱｏＳパラメータが含まれる切替要求メッセージを、ソース基地局から前記トランシーバで受信するプロセスと、前記ＰＤＵ  ｆｌｏｗに基づくＱｏＳパラメータまたはＲＢに基づくＱｏＳパラメータに基づいて、受付制御を行うプロセスとを実行することに用いられる。前記トランシーバは、データの送受信に用いられる。前記メモリは、前記プロセッサによる操作実行に用いられるデータを記憶することができる。
【００３７】
本開示の実施例の第１１態様として、コアネットワーク制御プレーン機能エンティティを提供する。前記コアネットワーク制御プレーン機能エンティティは、プロセッサと、メモリと、トランシーバを含む。前記プロセッサは、メモリからプログラムを読み取ることによって、ＰＤＵ  ｆｌｏｗに基づくＱｏＳパラメータおよび／またはＲＢに基づくＱｏＳパラメータが含まれる切替要求メッセージを、前記トランシーバでターゲット基地局に送信するプロセスを実行することに用いられる。ここで、前記ＰＤＵ  ｆｌｏｗに基づくＱｏＳパラメータまたはＲＢに基づくＱｏＳパラメータは、前記ターゲット基地局の受付制御に用いられる。前記トランシーバは、データの送受信に用いられる。前記メモリは、前記プロセッサによる操作実行に用いられるデータを記憶することができる。
【００３８】
本開示の実施例の第１２態様として、ターゲット基地局を提供する。前記ターゲット基地局は、プロセッサと、メモリと、トランシーバを含む。前記プロセッサは、メモリからプログラムを読み取ることによって、ＰＤＵ  ｆｌｏｗに基づくＱｏＳパラメータおよび／またはＲＢに基づくＱｏＳパラメータが含まれる切替要求メッセージを、コアネットワーク制御プレーン機能エンティティから前記トランシーバで受信するプロセスと、前記ＰＤＵ  ｆｌｏｗに基づくＱｏＳパラメータまたはＲＢに基づくＱｏＳパラメータに基づいて、受付制御を行うプロセスとを実行することに用いられる。前記トランシーバは、データの送受信に用いられる。前記メモリは、前記プロセッサによる操作実行に用いられるデータを記憶することができる。
【発明の効果】
【００３９】
切替プロセスにおいて、ＰＤＵ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＰＤＵ  ｆｌｏｗに基づくＱｏＳパラメータまたはＲＢに基づくＱｏＳパラメータに基づいて受付制御を行い、受付の成功および／または失敗したＰＤＵ  ｆｌｏｗ情報またはＲＢ情報を切替要求応答で返信する。ターゲット基地局は、受信したＰＤＵ  ｆｌｏｗ情報に基づいて、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ターゲット基地局は、受付したＰＤＵ  ｆｌｏｗ情報をコアネットワークに送信し、切替シナリオでのＱｏＳ処理を実現する。
【図面の簡単な説明】
【００４０】
本開示の実施例の技術手段をより明確に説明するために、以下、実施例の記載に必要とされる図面を簡単に紹介する。明らかに、以下の記載に関する図面は、単に本願の一部の実施例である。当業者にとって、創造性のある作業をしない前提で、これらの図面から他の図面を得ることもできる。以下の図面は、わざわざ実際のサイズにしたがって等比例に収縮または拡大して描いていなく、本願の趣旨を示すことにポイントを置く。
【００４１】
【図１】関連技術のＬＴＥシステムにおけるベアラモデルを示す。
【図２】典型的なＬＴＥアーキテクチャを示す。
【図３】将来の移動通信アーキテクチャを示す。
【図４】５Ｇネットワークアーキテクチャを示す。
【図５】本開示の一部実施例の切替シナリオでのＱｏＳパラメータ処理方法のフローチャートである。
【図６】本開示の一部実施例の切替シナリオでのＱｏＳパラメータ処理方法の別のフローチャートである。
【図７】本開示の一部実施例の切替シナリオでのＱｏＳパラメータ処理方法のまた別のフローチャートである。
【図８】本開示の一部実施例の切替シナリオでのＱｏＳパラメータ処理方法のさらに別のフローチャートである。
【図９】本開示の一部実施例のＰＤＵ  ｆｌｏｗ受付に基づくＱｏＳ処理のフローを示す。
【図１０】本開示の一部実施例のＲＢ受付に基づくＱｏＳ処理のフローを示す。
【図１１】本開示の一部実施例のＰＤＵ  ｆｌｏｗ受付に基づくＱｏＳ処理の別のフローを示す。
【図１２】本開示の一部実施例のＲＢ受付に基づくＱｏＳ処理の別のフローを示す。
【図１３】本開示の一部実施例のソース基地局を示す。
【図１４】本開示の一部実施例のターゲット基地局を示す。
【図１５】本開示の一部実施例のコアネットワーク制御プレーン機能エンティティを示す。
【図１６】本開示の一部実施例の別のターゲット基地局を示す。
【発明を実施するための形態】
【００４２】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００４３】
当業者にとって、本開示の実施形態がシステム、装置、機器、方法またはコンピュータプログラムプロダクトとして実現されうることが明白である。したがって、本開示の実施例は、具体的に、完全ハードウェア形態、完全ソフトウェア（ファームウェア、滞在ソフトウェア、マイクロコードなどを含む）形態、または、ハードウェアとソフトウェアを組み合わせた形態で実現されうる。
【００４４】
本開示の実施形態は、異なるネットワーク配置構造に用いられる。記載しやすくするために、まず将来の移動通信に用いられうるネットワーク配置構造を２種類紹介する。
【００４５】
配置構造１：基地局と端末を含む。
図２には、典型的なＬＴＥアーキテクチャが示されている。ｅＮＢ（Ｅｖｏｌｖｅｄ  Ｎｏｄｅ  Ｂ）の配下に複数のセル（ｃｅｌｌ）があり、接続状態の端末（ＵＥ）とセルとは、エアインタフェースのデータ送受信を行う。
【００４６】
配置構造２：ネットワーク側ノードとユーザ側ノードを含む。ここで、ネットワーク側ノードは、中央ユニットＣＵ（Ｃｅｎｔｒａｌ  Ｕｎｉｔ）と分布式ユニットＤＵ（Ｄｉｓｔｒｉｂｕｔｅｄ  Ｕｎｉｔ）に分けられる。ユーザ側ノードは、端末である。
【００４７】
図３には、将来の移動通信アーキテクチャが示されている。ネットワーク側ノードは、中央ユニットと分布式ノードを含む。１つの中央ユニットは、一定エリアに配置される複数の分布式ユニットを制御する。当該複数の分布式ユニットは、ＴＲＰ（Ｔｒａｎｓｍｉｓｓｉｏｎ  Ｒｅｃｅｐｔｉｏｎ  Ｐｏｉｎｔ）によって端末とエアインタフェースの伝送を行う。１つまたは複数のＴＲＰは、同時に端末にサービングしてデータ伝送を行うことができる。
【００４８】
本開示は、上記２種類の無線アクセスネットワークＲＡＮ（Ｒａｄｉｏ  Ａｃｃｅｓｓ  Ｎｅｔｗｏｒｋ）アーキテクチャに適用する。以下の記載において、記載を統一するために、ネットワーク側の無線シグナリングおよびデータ送受信ノードは、配置構造１のｅＮＢであるか、配置構造２のＣＵ／ＤＵ（具体的にＴＲＰである）であるかに関わらず、統一して基地局（ＮＧ−ＮＢ）と称する。
【００４９】
図４には、５Ｇネットワークアーキテクチャが示されている。ネットワークアーキテクチャに含まれる３つの論理エンティティは、それぞれ、コアネットワーク制御プレーン機能エンティティに位置するＣＮ−Ｃ（Ｃｏｒｅ  Ｎｅｔｗｏｒｋ−Ｃｏｎｔｒｏｌ）とＣＮ−Ｕ（Ｃｏｒｅ  Ｎｅｔｗｏｒｋ−Ｕｓｅｒ）、および、アクセスネットワークに位置するＮＧ−ＮＢ（Ｎｅｘｔ  Ｇｅｎｅｒａｔｉｏｎ−Ｎｏｄｅ  Ｂ）とｅＬＴＥ  ｅＮＢである。ＣＮ−ＣとＮＧ−ＮＢとは、制御プレーンのシグナリング伝送用のＳ１＊−Ｃインタフェースが確立され、ＣＮ−ＵとＮＧ−ＮＢとは、ユーザプレーンのデータ伝送用のＳ１＊−Ｕが確立される。無線アクセスネットワークＮＧ−ＮＢの間は、制御プレーン（例えばＸ２＊−Ｃ）とユーザプレーン機能（Ｘ２＊−Ｕ）を同時にサポートするＸ２＊インタフェースが確立される。
【００５０】
Ｓ１＊−Ｃでは、ＵＥを粒度とする制御プレーン接続（各ＵＥに対応する制御プレーン接続は、Ｓ１＊−ＡＰ  ＩＤで識別される。）が確立され、Ｓ１＊−Ｕでは、ＰＤＵセッション（ＰＤＵ  ｓｅｓｓｉｏｎ）を粒度とするユーザプレーン接続（またはユーザプレーントンネルと称される）が確立される。１つのＵＥは、ＣＮ−ＣとのＳ１＊−Ｃ接続を同時に１つしか保持できないが、ＣＮ−ＵとはＳ１＊−ＵインタフェースでＰＤＵセッションを粒度とするユーザプレーン接続（またはユーザプレーントンネルと称される）を同時に複数確立することができる。無線アクセスネットワークにおいて、１つまたは複数のＮＧ−ＮＢが同時にＵＥにサービングする。
【００５１】
本開示の一部実施例において、図５に示す切替シナリオでのＱｏＳパラメータ処理方法は、具体的に下記ステップを含む。
【００５２】
ステップ５０１において、ＰＤＵ  ｆｌｏｗに基づくＱｏＳパラメータおよび／またはＲＢに基づくＱｏＳパラメータが含まれる切替要求メッセージを、ソース基地局からターゲット基地局に送信する。ここで、前記ＰＤＵ  ｆｌｏｗに基づくＱｏＳパラメータまたはＲＢに基づくＱｏＳパラメータは、前記ターゲット基地局の受付制御に用いられる。
【００５３】
本実施例において、ソース基地局とターゲット基地局は、図２の２つの異なるｅＮＢに対応し、または、図３の２つの異なるＴＲＰに対応する。
【００５４】
本実施例において、選択可能に、前記切替要求メッセージは、前記ソース基地局によって生成されたＰＤＵ  ｆｌｏｗからＲＢへのマッピング関係をさらに含む。
【００５５】
本実施例の前記方法において、選択可能に、前記ソース基地局が前記ターゲット基地局から切替応答メッセージを受信することをさらに含む。前記切替応答メッセージは、前記ターゲット基地局の受付が成功または失敗したＰＤＵ  ｆｌｏｗまたはＲＢの情報を含む。
【００５６】
本実施例の切替プロセスにおいて、ＰＤＵ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＰＤＵ  ｆｌｏｗに基づくＱｏＳパラメータまたはＲＢに基づくＱｏＳパラメータに基づいて受付制御を行い、成功および／または失敗したＰＤＵ  ｆｌｏｗ情報またはＲＢ情報を切替要求応答で返信する。ターゲット基地局は、受信したＰＤＵ  ｆｌｏｗ情報に基づいて、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ターゲット基地局は、受付したＰＤＵ  ｆｌｏｗ情報をコアネットワークに送信する。
【００５７】
なお、ソース基地局は、ソース基地局によって生成されたＰＤＵ  ｆｌｏｗからＲＢへのマッピング関係を切替要求メッセージに運ばせてもよい。ターゲット基地局は、当該マッピング関係を参照して自身のＰＤＵ  ｆｌｏｗからＲＢへのマッピング関係、および対応する配置パラメータを生成する。
【００５８】
本開示の一部実施例において、図６に示す切替シナリオでのＱｏＳパラメータ処理方法は、具体的に下記ステップを含む。
【００５９】
ステップ６０１において、ＰＤＵ  ｆｌｏｗに基づくＱｏＳパラメータおよび／またはＲＢに基づくＱｏＳパラメータが含まれる切替要求メッセージを、ターゲット基地局がソース基地局から受信する。
【００６０】
ステップ６０２において、ターゲット基地局は、前記ＰＤＵ  ｆｌｏｗに基づくＱｏＳパラメータまたはＲＢに基づくＱｏＳパラメータに基づいて、受付制御を行う。
【００６１】
本実施例の前記方法において、選択可能に、前記ターゲット基地局が、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することをさらに含む。
【００６２】
本実施例において、選択可能に、前記切替要求メッセージは、前記ソース基地局によって生成されたＰＤＵ  ｆｌｏｗからＲＢへのマッピング関係をさらに含む。前記方法において、前記ターゲット基地局が、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することをさらに含む。
【００６３】
本実施例の前記方法において、選択可能に、前記ターゲット基地局から前記ソース基地局に切替要求応答メッセージを送信することをさらに含む。前記切替要求応答メッセージは、前記ターゲット基地局の受付が成功または失敗したＰＤＵ  ｆｌｏｗまたはＲＢの情報を含む。
【００６４】
本実施例の前記方法において、選択可能に、受付したＰＤＵ  ｆｌｏｗの情報が運ばれる伝送経路更新メッセージを、前記ターゲット基地局からコアネットワーク制御プレーン機能エンティティに送信することと、前記ターゲット基地局が、前記コアネットワーク制御プレーン機能エンティティから送信される伝送経路更新確認メッセージを受信することとをさらに含む。
【００６５】
本実施例の切替プロセスにおいて、ＰＤＵ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＰＤＵ  ｆｌｏｗに基づくＱｏＳパラメータまたはＲＢに基づくＱｏＳパラメータに基づいて受付制御を行い、成功および／または失敗したＰＤＵ  ｆｌｏｗ情報またはＲＢ情報を切替要求応答で返信する。ターゲット基地局は、受信したＰＤＵ  ｆｌｏｗ情報に基づいて、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ターゲット基地局は、受付したＰＤＵ  ｆｌｏｗ情報をコアネットワークに送信する。
【００６６】
なお、ソース基地局は、ソース基地局によって生成されたＰＤＵ  ｆｌｏｗからＲＢへのマッピング関係を切替要求メッセージに運ばせてもよい。ターゲット基地局は、当該マッピング関係を参照して自身のＰＤＵ  ｆｌｏｗからＲＢへのマッピング関係、および対応する配置パラメータを生成する。
【００６７】
本開示の一部実施例において、図７に示す切替シナリオでのＱｏＳパラメータ処理方法は、具体的に各ステップを含む。
【００６８】
ステップ７０１において、ＰＤＵ  ｆｌｏｗに基づくＱｏＳパラメータおよび／またはＲＢに基づくＱｏＳパラメータが含まれる切替要求メッセージを、コアネットワーク制御プレーン機能エンティティからターゲット基地局に送信する。ここで、前記ＰＤＵ  ｆｌｏｗに基づくＱｏＳパラメータまたはＲＢに基づくＱｏＳパラメータは、前記ターゲット基地局の受付制御に用いられる。
【００６９】
本実施例の前記方法において、選択可能に、前記ターゲット基地局の受付が成功または失敗したＰＤＵ  ｆｌｏｗまたはＲＢの情報が含まれる切替要求確認メッセージを、前記コアネットワーク制御プレーン機能エンティティが前記ターゲット基地局から受信することと、前記コアネットワーク制御プレーン機能エンティティからソース基地局に切替指令を送信することとをさらに含む。
【００７０】
本実施例において、ソース基地局（ソースＮＧ−ＮＢ）からコアネットワーク制御プレーン機能エンティティ（たとえば５Ｇ  ＣＮ−Ｃ）に切替準備要求メッセージを送信する。当該切替準備要求メッセージには、ソース基地局によって生成されてターゲット基地局（ターゲットＮＧ−ＮＢ）に送信されるＰＤＵ  ｆｌｏｗからＲＢへのマッピング関係、およびＲＢに基づくＱｏＳパラメータが運ばれる。当該マッピング関係およびＲＢに基づくＱｏＳパラメータは、コアネットワークにとって透明であり、コアネットワーク制御プレーン機能エンティティからターゲット基地局にトランスペアレント伝送される。それから、コアネットワーク制御プレーン機能エンティティは、ＰＤＵ  ｆｌｏｗに基づくＱｏＳパラメータおよびソース基地局からターゲット基地局にトランスペアレント伝送される情報が運ばれる切替要求メッセージをターゲット基地局に送信する。ターゲット基地局は、ＰＤＵ  ｆｌｏｗに基づくＱｏＳパラメータまたはＲＢに基づくＱｏＳパラメータに基づいて受付制御を行い、切替要求確認メッセージによって、受付が成功および失敗したＰＤＵ  ｆｌｏｗ情報をコアネットワーク制御プレーン機能エンティティに返信し、受付が失敗したＲＢ情報をターゲットＮＧ−ＮＢに返信する（当該情報はコアネットワークにとって透明である）。ターゲット基地局は、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ＰＤＵ  ｆｌｏｗからＲＢへのマッピング関係がソース基地局にある場合、ターゲット基地局は、当該情報を参照して自身のＰＤＵ  ｆｌｏｗからＲＢへの集合マッピング関係、および対応する配置パラメータを生成する。コアネットワーク制御プレーン機能エンティティは、ターゲット側で受付が失敗したＰＤＵ  ｆｌｏｗ情報が運ばれた切替指令をソース基地局に送信する。
【００７１】
本開示の一部実施例において、図８に示す切替シナリオでのＱｏＳパラメータ処理方法は、具体的に下記のステップを含む。
【００７２】
ステップ８０１において、ＰＤＵ  ｆｌｏｗに基づくＱｏＳパラメータおよび／またはＲＢに基づくＱｏＳパラメータが含まれる切替要求メッセージを、ターゲット基地局がコアネットワーク制御プレーン機能エンティティから受信する。
【００７３】
ステップ８０２において、ターゲット基地局は、前記ＰＤＵ  ｆｌｏｗに基づくＱｏＳパラメータまたはＲＢに基づくＱｏＳパラメータに基づいて、受付制御を行う。
【００７４】
本実施例の前記方法において、選択可能に、前記ターゲット基地局が、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することをさらに含む。
【００７５】
本実施例において、選択可能に、前記切替要求メッセージは、前記ソース基地局によって生成されたＰＤＵ  ｆｌｏｗからＲＢへのマッピング関係をさらに含む。
【００７６】
前記方法において、前記ターゲット基地局が、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することをさらに含む。
【００７７】
本実施例の前記方法において、選択可能に、前記ターゲット基地局の受付が成功または失敗したＰＤＵ  ｆｌｏｗまたはＲＢの情報が含まれる切替要求確認メッセージを、前記ターゲット基地局から前記コアネットワーク制御プレーン機能エンティティに送信することをさらに含む。
【００７８】
本実施例において、ソース基地局（ソースＮＧ−ＮＢ）からコアネットワーク制御プレーン機能エンティティ（たとえば５Ｇ  ＣＮ−Ｃ）に切替準備要求メッセージを送信する。当該切替準備要求メッセージは、ソース基地局によって生成されてターゲット基地局（ターゲットＮＧ−ＮＢ）に送信されるＰＤＵ  ｆｌｏｗからＲＢへのマッピング関係、およびＲＢに基づくＱｏＳパラメータが運ばれる。当該マッピング関係およびＲＢに基づくＱｏＳパラメータは、コアネットワークにとって透明であり、コアネットワーク制御プレーン機能エンティティからターゲット基地局にトランスペアレント伝送される。それから、コアネットワーク制御プレーン機能エンティティは、ＰＤＵ  ｆｌｏｗに基づくＱｏＳパラメータおよびソース基地局からターゲット基地局にトランスペアレント伝送される情報が運ばれる切替要求メッセージをターゲット基地局に送信する。ターゲット基地局は、ＰＤＵ  ｆｌｏｗに基づくＱｏＳパラメータまたはＲＢに基づくＱｏＳパラメータに基づいて受付制御を行い、切替要求確認メッセージによって、受付が成功および失敗したＰＤＵ  ｆｌｏｗ情報をコアネットワーク制御プレーン機能エンティティに返信し、受付が失敗したＲＢ情報をターゲットＮＧ−ＮＢに返信する（当該情報はコアネットワークにとって透明である）。ターゲット基地局は、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ＰＤＵ  ｆｌｏｗからＲＢへのマッピング関係がソース基地局にある場合、ターゲット基地局は、当該情報を参照して自身のＰＤＵ  ｆｌｏｗからＲＢへの集合マッピング関係、および対応する配置パラメータを生成する。コアネットワーク制御プレーン機能エンティティは、ターゲット側で受付が失敗したＰＤＵ  ｆｌｏｗ情報が運ばれた切替指令をソース基地局に送信する。
【００７９】
本開示の一部実施例において、図９には、ＰＤＵ  ｆｌｏｗ受信に基づくＱｏＳ処理フローが示されている。本実施例において、ＮＧ−ＮＢとＮＧ−ＮＢとの間に直接インタフェースが存在する。具体的なステップは、以下である。
【００８０】
ステップ９０１において、ソースＮＧ−ＮＢは、切替要求メッセージをターゲットＮＧ−ＮＢに送信する。該メッセージには、ＰＤＵ  ｆｌｏｗに基づくＱｏＳパラメータが運ばれ、さらに、ソース基地局によって生成されたＰＤＵ  ｆｌｏｗからＲＢへのマッピング関係も運ばれる。
【００８１】
ステップ９０２において、ターゲットＮＧ−ＮＢは、ｆｌｏｗのＱｏＳパラメータに基づいて受付制御を行い、成功および失敗したｆｌｏｗ情報を切替要求応答メッセージで返信する。ターゲットＮＧ−ＮＢは、ＱｏＳ要求が一致するｆｌｏｗを集合し、ＰＤＵ  ｆｌｏｗからＲＢへの集合マッピング関係、および対応するＲＢの配置パラメータを生成する。ソースＮＧ−ＮＢにＰＤＵ  ｆｌｏｗからＲＢへのマッピング関係がある場合、ターゲットＮＧ−ＮＢは、当該情報を参照して、自身のＰＤＵ  ｆｌｏｗからＲＢへの集合マッピング関係、および対応する配置パラメータを生成する。
【００８２】
ステップ９０３において、ターゲットＮＧ−ＮＢは、受付が成功したｆｌｏｗ情報が運ばれる伝送経路更新メッセージを５Ｇ  ＣＮ−Ｃに送信する。
【００８３】
ステップ９０４において、５Ｇ  ＣＮ−Ｃは、更新確認済みｆｌｏｗ情報が運ばれる伝送経路更新確認メッセージをターゲットＮＧ−ＮＢに返信する。
【００８４】
本開示の一部実施例において、図１０には、ＲＢ受付に基づくＱｏＳ処理フローが示されている。本実施例において、ＮＧ−ＮＢとＮＧ−ＮＢとの間に直接インタフェースが存在する。具体的なステップは、以下である。
【００８５】
ステップ１００１において、ソースＮＧ−ＮＢは、切替要求メッセージをターゲットＮＧ−ＮＢに送信する。メッセージには、ＲＢに基づくＱｏＳパラメータ、ＰＤＵ  ｆｌｏｗに基づくＱｏＳパラメータが運ばれ、さらに、ソース基地局によって生成されたＰＤＵ  ｆｌｏｗからＲＢへのマッピング関係も運ばれる。
【００８６】
ステップ１００２において、ターゲットＮＧ−ＮＢは、ＲＢに基づくＱｏＳパラメータに基づいて受付制御を行い、受付が成功および失敗したＲＢ情報を切替要求応答メッセージで返信する。ターゲットＮＧ−ＮＢは、受信したｆｌｏｗ  ＱｏＳ情報に基づいて、ＱｏＳ要求が一致するｆｌｏｗを集合し、ＰＤＵ  ｆｌｏｗからＲＢへの集合マッピング関係、および対応するＲＢの配置パラメータを生成する。ソースＮＧ−ＮＢがＰＤＵ  ｆｌｏｗからＲＢへのマッピング関係を保有する場合、ターゲットＮＧ−ＮＢは、当該情報を参照して、自身のＰＤＵ  ｆｌｏｗからＲＢへの集合マッピング関係、および対応する配置パラメータを生成する。
【００８７】
ステップ１００３において、ターゲットＮＧ−ＮＢは、受付したｆｌｏｗ情報が運ばれる伝送経路更新メッセージを５Ｇ  ＣＮ−Ｃに送信する。
【００８８】
ステップ１００４において、５Ｇ  ＣＮ−Ｃは、更新確認済みｆｌｏｗ情報が運ばれる伝送経路更新確認メッセージをターゲットＮＧ−ＮＢに返信する。
【００８９】
本開示の一部実施例において、図１１には、ＰＤＵ  ｆｌｏｗ受付に基づくＱｏＳ処理フローが示されている。本実施例において、ＮＧ−ＮＢとＮＧ−ＮＢとの間に直接インタフェースが存在しない。具体的なステップは、以下である。
【００９０】
ステップ１１０１において、ソースＮＧ−ＮＢから切替準備要求メッセージを５Ｇ  ＣＮ−Ｃに送信する。メッセージは、ソース基地局によって生成されたＰＤＵ  ｆｌｏｗからＲＢへのマッピング関係が運ばれてターゲットＮＧ−ＮＢに送信される。当該情報は、コアネットワークにとって透明であり、コアネットワークからターゲットＮＧ−ＮＢにトランスペアレント伝送される。
【００９１】
ステップ１１０２において、５Ｇ  ＣＮ−Ｃは、切替要求メッセージをターゲットＮＧ−ＮＢに送信する。メッセージには、ＰＤＵ  ｆｌｏｗに基づくＱｏＳパラメータ、およびソースＮＧ−ＮＢからターゲットＮＧ−ＮＢにトランスペアレント伝送される情報が運ばれる。
【００９２】
ステップ１１０３において、ターゲットＮＧ−ＮＢは、ＰＤＵ  ｆｌｏｗに基づくＱｏＳパラメータに基づいて受付制御を行い、受付が成功および失敗したｆｌｏｗ情報を切替要求確認メッセージで５Ｇ  ＣＮ−Ｃに返信する。ターゲットＮＧ−ＮＢは、ＱｏＳ要求が一致するｆｌｏｗを集合し、ＰＤＵ  ｆｌｏｗからＲＢへの集合マッピング関係、および対応するＲＢの配置パラメータを生成する。ソースＮＧ−ＮＢがＰＤＵ  ｆｌｏｗからＲＢへのマッピング関係を保有する場合、ターゲット基地局は、当該情報を参照して、自身のＰＤＵ  ｆｌｏｗからＲＢへの集合マッピング関係、および対応する配置パラメータを生成する。
【００９３】
ステップ１１０４において、５Ｇ  ＣＮ−Ｃは、ターゲット側で受付が失敗したｆｌｏｗ情報が運ばれる切替指令をソースＮＧ−ＮＢに送信する。
【００９４】
本開示の一部実施例において、図１２には、ＲＢ受信に基づくＱｏＳ処理フローが示されている。本実施例において、ＮＧ−ＮＢとＮＧ−ＮＢとの間に直接インタフェースが存在しない。具体的なステップは、以下である。
【００９５】
ステップ１２０１において、ソースＮＧ−ＮＢから切替準備要求メッセージを５Ｇ  ＣＮ−Ｃに送信する。メッセージは、ＲＢに基づくＱｏＳパラメータ、および、ソース基地局によって生成されたＰＤＵ  ｆｌｏｗからＲＢへのマッピング関係が運ばれてターゲットＮＧ−ＮＢに送信される。当該情報は、コアネットワークにとって透明であり、コアネットワークからターゲットＮＧ−ＮＢにトランスペアレント伝送される。
【００９６】
ステップ１２０２において、５Ｇ  ＣＮ−Ｃは、切替要求メッセージをターゲットＮＧ−ＮＢに送信する。メッセージには、ＰＤＵ  ｆｌｏｗに基づくＱｏＳパラメータ、およびソースＮＧ−ＮＢからターゲットＮＧ−ＮＢにトランスペアレント伝送される情報が運ばれる。
【００９７】
ステップ１２０３において、ターゲットＮＧ−ＮＢは、ＲＢに基づくＱｏＳパラメータに基づいて受付制御を行い、受付が成功および失敗したｆｌｏｗ情報を切替要求応答メッセージで５Ｇ  ＣＮ−Ｃに返信し、受付が失敗したＲＢ情報をターゲットＮＧ−ＮＧに返信する（当該情報は、コアネットワークにとって透明である。）。ターゲットＮＧ−ＮＢは、受信したｆｌｏｗ  ＱｏＳ情報に基づいて、ＱｏＳ要求が一致するｆｌｏｗを集合し、ＰＤＵ  ｆｌｏｗからＲＢへの集合マッピング関係、および対応するＲＢの配置パラメータを生成する。ソースＮＧ−ＮＢがＰＤＵ  ｆｌｏｗからＲＢへのマッピング関係を保有する場合、ターゲットＮＧ−ＮＢは、当該情報を参照して、自身のＰＤＵ  ｆｌｏｗからＲＢへの集合マッピング関係、および対応する配置パラメータを生成する。
【００９８】
ステップ１２０４において、５Ｇ  ＣＮ−Ｃは、切替指令をソースＮＧ−ＮＢに送信する。切替指令には、ターゲットＮＧ−ＮＢからソースＮＧ−ＮＢへトランスペアレント伝送した、受付が失敗したＲＢ情報が運ばれる。
【００９９】
本開示の一部実施例において、図１３に示すソース基地局は、ＰＤＵ  ｆｌｏｗに基づくＱｏＳパラメータおよび／またはＲＢに基づくＱｏＳパラメータが含まれる切替要求メッセージを、ターゲット基地局に送信することに用いられる第１送信モジュール１３０１を含む。ここで、前記ＰＤＵ  ｆｌｏｗに基づくＱｏＳパラメータまたはＲＢに基づくＱｏＳパラメータは、前記ターゲット基地局の受付制御に用いられる。
【０１００】
本実施例において、選択可能に、前記切替要求メッセージは、前記ソース基地局によって生成されたＰＤＵ  ｆｌｏｗからＲＢへのマッピング関係をさらに含む。
【０１０１】
本実施例において、選択可能に、前記ソース基地局は、前記ターゲット基地局から切替応答メッセージを受信することに用いられる第１受信モジュールをさらに含む。前記切替応答メッセージは、前記ターゲット基地局の受付が成功または失敗したＰＤＵ  ｆｌｏｗまたはＲＢの情報を含む。
【０１０２】
本実施例の切替プロセスにおいて、ＰＤＵ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＰＤＵ  ｆｌｏｗに基づくＱｏＳパラメータまたはＲＢに基づくＱｏＳパラメータに基づいて受付制御を行い、受付が成功および／または失敗したＰＤＵ  ｆｌｏｗ情報またはＲＢ情報を切替要求応答で返信する。ターゲット基地局は、受信したＰＤＵ  ｆｌｏｗ情報に基づいて、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ターゲット基地局は、受付したＰＤＵ  ｆｌｏｗ情報をコアネットワークに送信する。
【０１０３】
なお、ソース基地局は、ソース基地局によって生成されたＰＤＵ  ｆｌｏｗからＲＢへのマッピング関係を切替要求メッセージに運ばせてもよい。ターゲット基地局は、当該マッピング関係を参照して自身のＰＤＵ  ｆｌｏｗからＲＢへのマッピング関係、および対応する配置パラメータを生成する。
【０１０４】
本開示の一部実施例において、図１４に示すターゲット基地局１４００は、ＰＤＵ  ｆｌｏｗに基づくＱｏＳパラメータおよび／またはＲＢに基づくＱｏＳパラメータが含まれる切替要求メッセージをソース基地局から受信することに用いられる第２受信モジュール１４０１と、前記ＰＤＵ  ｆｌｏｗに基づくＱｏＳパラメータまたはＲＢに基づくＱｏＳパラメータに基づいて、受付制御を行うことに用いられる第１受付制御モジュール１４０２とを含む。
【０１０５】
本実施例において、選択可能に、前記ターゲット基地局は、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することに用いられる第１生成モジュールをさらに含む。
【０１０６】
本実施例において、選択可能に、前記切替要求メッセージは、前記ソース基地局によって生成されたＰＤＵ  ｆｌｏｗからＲＢへのマッピング関係をさらに含む。前記ターゲット基地局は、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することに用いられる第２生成モジュールをさらに含む。
【０１０７】
本実施例において、選択可能に、前記ターゲット基地局は、前記ソース基地局に切替要求応答メッセージを送信することに用いられる第２送信モジュールをさらに含む。前記切替要求応答メッセージは、前記ターゲット基地局の受付が成功または失敗したＰＤＵ  ｆｌｏｗまたはＲＢの情報を含む。
【０１０８】
本実施例の切替プロセスにおいて、ＰＤＵ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＰＤＵ  ｆｌｏｗに基づくＱｏＳパラメータまたはＲＢに基づくＱｏＳパラメータに基づいて受付制御を行い、受付が成功および／または失敗したＰＤＵ  ｆｌｏｗ情報またはＲＢ情報を切替要求応答で返信する。ターゲット基地局は、受信したＰＤＵ  ｆｌｏｗ情報に基づいて、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ターゲット基地局は、受付したＰＤＵ  ｆｌｏｗ情報をコアネットワークに送信する。
【０１０９】
なお、ソース基地局は、ソース基地局によって生成されたＰＤＵ  ｆｌｏｗからＲＢへのマッピング関係を切替要求メッセージに運ばせてもよい。ターゲット基地局は、当該マッピング関係を参照して自身のＰＤＵ  ｆｌｏｗからＲＢへのマッピング関係、および対応する配置パラメータを生成する。
【０１１０】
本開示の一部実施例において、図１５に示すコアネットワーク制御プレーン機能エンティティ１５００は、ＰＤＵ  ｆｌｏｗに基づくＱｏＳパラメータおよび／またはＲＢに基づくＱｏＳパラメータが含まれる切替要求メッセージを、ターゲット基地局に送信することに用いられる第３送信モジュール１５０１を含む。ここで、前記ＰＤＵ  ｆｌｏｗに基づくＱｏＳパラメータまたはＲＢに基づくＱｏＳパラメータは、前記ターゲット基地局の受付制御に用いられる。
【０１１１】
本実施例において、選択可能に、前記コアネットワーク制御プレーン機能エンティティは、前記ターゲット基地局の受付が成功または失敗したＰＤＵ  ｆｌｏｗの情報またはＲＢの情報が含まれる切替要求確認メッセージを、前記ターゲット基地局から受信することに用いられる第３受信モジュールと、ソース基地局に切替指令を送信することに用いられる第４送信モジュールとをさらに含む。
【０１１２】
本実施例において、ソース基地局（ソースＮＧ−ＮＢ）からコアネットワーク制御プレーン機能エンティティ（たとえば５Ｇ  ＣＮ−Ｃ）に切替準備要求メッセージを送信する。当切替準備要求メッセージには、ソース基地局によって生成されてターゲット基地局（ターゲットＮＧ−ＮＢ）に送信されるＰＤＵ  ｆｌｏｗからＲＢへのマッピング関係、およびＲＢに基づくＱｏＳパラメータが運ばれる。当該マッピング関係およびＲＢに基づくＱｏＳパラメータは、コアネットワークにとって透明であり、コアネットワーク制御プレーン機能エンティティからターゲット基地局にトランスペアレント伝送される。それから、コアネットワーク制御プレーン機能エンティティは、ＰＤＵ  ｆｌｏｗに基づくＱｏＳパラメータおよびソース基地局からターゲット基地局にトランスペアレント伝送される情報が運ばれる切替要求メッセージをターゲット基地局に送信する。ターゲット基地局は、ＰＤＵ  ｆｌｏｗに基づくＱｏＳパラメータまたはＲＢに基づくＱｏＳパラメータに基づいて受付制御を行い、切替要求確認メッセージで、受付が成功および失敗したＰＤＵ  ｆｌｏｗ情報をコアネットワーク制御プレーン機能エンティティに返信し、受付が失敗したＲＢ情報をターゲットＮＧ−ＮＢに返信する（当該情報はコアネットワークにとって透明である）。ターゲット基地局は、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ソース基地局がＰＤＵ  ｆｌｏｗからＲＢへのマッピング関係を保有する場合、ターゲット基地局は、当該情報を参照して自身のＰＤＵ  ｆｌｏｗからＲＢへの集合マッピング関係、および対応する配置パラメータを生成する。コアネットワーク制御プレーン機能エンティティは、ターゲット側で受付が失敗したＰＤＵ  ｆｌｏｗ情報が運ばれた切替指令をソース基地局に送信する。
【０１１３】
本開示の一部実施例において、図１６に示すターゲット基地局１６００は、ＰＤＵ  ｆｌｏｗに基づくＱｏＳパラメータおよび／またはＲＢに基づくＱｏＳパラメータが含まれる切替要求メッセージを、コアネットワーク制御プレーン機能エンティティから受信することに用いられる第４受信モジュール１６０１と、前記ＰＤＵ  ｆｌｏｗに基づくＱｏＳパラメータまたはＲＢに基づくＱｏＳパラメータに基づいて、受付制御を行うことに用いられる第２受付制御モジュール１６０２とを含む。
【０１１４】
本実施例において、選択可能に、前記ターゲット基地局は、ＰＤＵ  ｆｌｏｗに基づくＱｏＳパラメータに基づいて、前記ターゲット基地局のＰＤＵ  ｆｌｏｗからＲＢへの集合マッピング関係、および、対応するＲＢの配置パラメータを生成することに用いられる第３生成モジュールをさらに含む。
【０１１５】
本実施例において、選択可能に、前記切替要求メッセージは、ソース基地局によって生成されたＰＤＵ  ｆｌｏｗからＲＢへのマッピング関係をさらに含む。前記ターゲット基地局は、前記ソース基地局によって生成されたＰＤＵ  ｆｌｏｗからＲＢへのマッピング関係に基づいて、前記ターゲット基地局のＰＤＵ  ｆｌｏｗからＲＢへの集合マッピング関係、および、対応するＲＢの配置パラメータを生成することに用いられる第４生成モジュールをさらに含む。
【０１１６】
本実施例において、選択可能に、前記ターゲット基地局は、前記ターゲット基地局の受付が成功または失敗したＰＤＵ  ｆｌｏｗまたはＲＢの情報が含まれる切替要求確認メッセージを、前記コアネットワーク制御プレーン機能エンティティに送信することに用いられる第５送信モジュールをさらに含む。
【０１１７】
本実施例において、選択可能に、前記ターゲット基地局は、受付したＰＤＵ  ｆｌｏｗの情報が運ばれる伝送経路更新メッセージを、コアネットワーク制御プレーン機能エンティティに送信することに用いられる第６送信モジュールと、前記コアネットワーク制御プレーン機能エンティティから送信される伝送経路更新確認メッセージを受信することに用いられる第５受信モジュールとをさらに含む。
【０１１８】
本実施例において、ソース基地局（ソースＮＧ−ＮＢ）からコアネットワーク制御プレーン機能エンティティ（たとえば５Ｇ  ＣＮ−Ｃ）に切替準備要求メッセージを送信する。当該切替準備要求メッセージには、ソース基地局によって生成されてターゲット基地局（ターゲットＮＧ−ＮＢ）に送信されるＰＤＵ  ｆｌｏｗからＲＢへのマッピング関係、およびＲＢに基づくＱｏＳパラメータが運ばれる。当該マッピング関係およびＲＢに基づくＱｏＳパラメータは、コアネットワークにとって透明であり、コアネットワーク制御プレーン機能エンティティからターゲット基地局にトランスペアレント伝送される。それから、コアネットワーク制御プレーン機能エンティティは、ＰＤＵ  ｆｌｏｗに基づくＱｏＳパラメータおよびソース基地局からターゲット基地局にトランスペアレント伝送される情報が運ばれる切替要求メッセージをターゲット基地局に送信する。ターゲット基地局は、ＰＤＵ  ｆｌｏｗに基づくＱｏＳパラメータまたはＲＢに基づくＱｏＳパラメータに基づいて受付制御を行い、切替要求確認メッセージによって、受付が成功および失敗したＰＤＵ  ｆｌｏｗ情報をコアネットワーク制御プレーン機能エンティティに返信し、受付が失敗したＲＢ情報をターゲットＮＧ−ＮＢに返信する（当該情報はコアネットワークにとって透明である）。ターゲット基地局は、ＱｏＳ要求が一致するＰＤＵ  ｆｌｏｗを集合し、ＰＤＵ  ｆｌｏｗからＲＢへの集合マッピング関係、および対応するＲＢの配置パラメータを生成する。ソース基地局がＰＤＵ  ｆｌｏｗからＲＢへのマッピング関係を保有する場合、ターゲット基地局は、当該情報を参照して自身のＰＤＵ  ｆｌｏｗからＲＢへの集合マッピング関係、および対応する配置パラメータを生成する。コアネットワーク制御プレーン機能エンティティは、ターゲット側で受付が失敗したＰＤＵ  ｆｌｏｗ情報が運ばれた切替指令をソース基地局に送信する。
【０１１９】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【０１２０】
本開示の各実施例において、上記各プロセスの番号の大きさは、実行順の前後を意味するのではなく、各プロセスの実行順は、その機能および内在的な論理によって確定されるものであり、本発明の実施例の実施プロセスに対しいっさい限定を構成しないと理解すべきである。
【０１２１】
また、本文において、「システム」と「ネットワーク」は、常に互換して使用することができる。
【０１２２】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【０１２３】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【０１２４】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１２５】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１２６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１２７】
以上の記載は、本開示の選択可能な実施形態である。なお、当業者にとって、本開示に記載した原理を逸脱することなくいくつかの改良や修飾を行うこともできる。これらの改良や修飾も、本開示の保護範囲に含まれる。
【図１】
2019525629.tif 000003
【図２】
2019525629.tif 000004
【図３】
2019525629.tif 000005
【図４】
2019525629.tif 000006
【図５】
2019525629.tif 000007
【図６】
2019525629.tif 000008
【図７】
2019525629.tif 000009
【図８】
2019525629.tif 000010
【図９】
2019525629.tif 000011
【図１０】
2019525629.tif 000012
【図１１】
2019525629.tif 000013
【図１２】
2019525629.tif 000014
【図１３】
2019525629.tif 000015
【図１４】
2019525629.tif 000016
【図１５】
2019525629.tif 000017
【図１６】
2019525629.tif 000018
【手続補正書】
【提出日】平成31年2月15日(2019.2.15)
【手続補正１】
【補正対象書類名】明細書
【補正対象項目名】全文
【補正方法】変更
【補正の内容】
【発明の詳細な説明】
【技術分野】
【０００１】
本願は、２０１６年８月１２日に中国特許庁に提出された中国特許出願２０１６１０６６３５８０．１の優先権を主張し、その全ての内容が援用によりここに取り込まれる。
本開示は、通信技術分野に係り、特に切替シナリオでのサービス品質ＱｏＳ（Ｑｕａｌｉｔｙ  ｏｆ  Ｓｅｒｖｉｃｅ）パラメータ処理方法および機器に係る。
【背景技術】
【０００２】
図１には、関連技術のＬＴＥ（Ｌｏｎｇ  Ｔｅｒｍ  Ｅｖｏｌｕｔｉｏｎ）システムのベアラモデル（Ｂｅａｒｅｒ  ｍｏｄｅｌ）が示されている。関連技術のＬＴＥシステムにおいて、コアネットワーク制御プレーン機能エンティティは、Ｅ−ＲＡＢ（Ｅｖｏｌｖｅｄ  Ｒａｄｉｏ  Ａｃｃｅｓｓ  Ｂｅａｒｅｒ）のＱｏＳパラメータの生成を担う。エアインタフェースのＲＢ（Ｒａｄｉｏ  Ｂｅａｒｅｒ）とＥ−ＲＡＢとは一対一のマッピング関係であるため、コアネットワーク制御プレーン機能エンティティで生成されたＥ−ＲＡＢのＱｏＳパラメータは、直接エアインタフェースのＲＢのＱｏＳパラメータに用いられる。
【０００３】
移動通信ネットワークにおける異種アクセス技術によって、ＧＴＰ（ＧＰＲＳ（Ｇｅｎｅｒａｌ  Ｐａｃｋｅｔ  Ｒａｄｉｏ  Ｓｅｒｖｉｃｅ）  Ｔｕｎｎｅｌｉｎｇ  Ｐｒｏｔｏｃｏｌ）やＰＭＩＰ（Ｐｒｏｘｙ  Ｍｏｂｉｌｅ  Ｉｎｔｅｒｎｅｔ  Ｐｒｏｔｏｃｏｌ）など、多種類のトンネリングプロトコルは、移動性およびＱｏＳを保障するためにコアネットワーク制御プレーン機能エンティティにサポートされる必要がある。一方、制御とフォワーディングが分離された５Ｇネットワークにおいて、多くのトンネリングプロトコルをサポートすることによって、制御論理とシグナリングのやり取りが複雑になり、システムの性能に影響を与える。したがって、５Ｇネットワークにおいて、フォワーディングプロトコルの簡単化、ＱｏＳスケジューリングポリシーの最適化、フォワーディングプレーンのデータパケットフォワーディング能力の強化など、通用フォワーディングプレーンでのＱｏＳのサポートを強化することが考えられる。ＬＴＥネットワークが長期にわたって存在するため、将来の５Ｇネットワークの接続管理メカニズムでは、ＥＰＳ（Ｅｖｏｌｖｅｄ  Ｐａｃｋｅｔ  Ｓｙｓｔｅｍ）との接続アクセスの適合性を考慮する必要もあり、接続管理によって、引き続き相互運用管理機能（Ｉｎｔｅｒｏｐｅｒａｂｉｌｉｔｙ  ｍａｎａｇｅｍｅｎｔ  ｆｕｎｃｔｉｏｎ）を提供してＬＴＥネットワークのトンネル管理メッセージを処理してトンネル管理プロセスを完成する可能性もある。
【０００４】
将来の５Ｇのコアネットワーク制御プレーン機能エンティティにベアラ（Ｂｅａｒｅｒ）の概念がないため、コアネットワーク制御プレーン機能エンティティＣＮ−ＣからＮＧ−ＮＢに配信するＱｏＳパラメータは、フロー（ｆｌｏｗ）を粒度に配置される。一方、アクセスネットワークＮＧ−ＮＢが依然としてＲＢを粒度にＱｏＳ管理を行うため、アクセスネットワークにおいて、ＲＢレベルのＱｏＳパラメータを生成して、ＮＧ−ＮＢとＵＥ、および、ＮＧ−ＮＢとほかの無線アクセスエンティティとのやり取りプロセスに用いる必要がある。
【０００５】
現在、５Ｇの初期研究段階にある。現在公開されている資料では、切替プロセスで新規のＱｏＳメカニズムに基づく処理が提案されていない。
【発明の概要】
【発明が解決しようとする課題】
【０００６】
上述した技術課題に鑑み、本開示の実施例は、切替シナリオでのＱｏＳパラメータ処理方法および機器を提供して、切替シナリオでのＱｏＳの処理を解決する。
【課題を解決するための手段】
【０００７】
本開示の実施例の第１態様として、切替シナリオでのＱｏＳパラメータ処理方法を提供する。前記方法において、ＱｏＳ  ｆｌｏｗに基づくＱｏＳパラメータおよび／またはＲＢに基づくＱｏＳパラメータが含まれる切替要求メッセージを、ソース基地局からターゲット基地局に送信することを含む。ここで、前記ＱｏＳ  ｆｌｏｗに基づくＱｏＳパラメータまたはＲＢに基づくＱｏＳパラメータは、前記ターゲット基地局の受付制御に用いられる。
【０００８】
選択可能に、前記切替要求メッセージは、前記ソース基地局によって生成されたＱｏＳ  ｆｌｏｗからＲＢへのマッピング関係をさらに含む。
【０００９】
選択可能に、前記方法において、前記ソース基地局が前記ターゲット基地局から切替応答メッセージを受信することをさらに含む。前記切替応答メッセージは、前記ターゲット基地局による受付が成功または失敗したＱｏＳ  ｆｌｏｗの情報またはＲＢの情報を含む。
【００１０】
本開示の実施例の第２態様として、切替シナリオでのＱｏＳパラメータ処理方法を提供する。前記方法において、ＱｏＳ  ｆｌｏｗに基づくＱｏＳパラメータおよび／またはＲＢに基づくＱｏＳパラメータが含まれる切替要求メッセージを、ターゲット基地局がソース基地局から受信することと、前記ターゲット基地局が、前記ＱｏＳ  ｆｌｏｗに基づくＱｏＳパラメータまたはＲＢに基づくＱｏＳパラメータに基づいて、受付制御（Ａｄｍｉｓｓｉｏｎ  ｃｏｎｔｒｏｌ）を行うこととを含む。
【００１１】
選択可能に、前記方法において、前記ターゲット基地局が、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することをさらに含む。
【００１２】
選択可能に、前記切替要求メッセージは、前記ソース基地局によって生成されたＱｏＳ  ｆｌｏｗからＲＢへのマッピング関係をさらに含む。前記方法において、前記ターゲット基地局が、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することをさらに含む。
【００１３】
選択可能に、前記方法において、前記ターゲット基地局から前記ソース基地局に切替要求応答メッセージを送信することをさらに含む。前記切替要求応答メッセージは、前記ターゲット基地局の受付が成功または失敗したＱｏＳ  ｆｌｏｗの情報またはＲＢの情報を含む。
【００１４】
選択可能に、前記方法において、受付したＱｏＳ  ｆｌｏｗの情報が運ばれる伝送経路更新メッセージを、前記ターゲット基地局からコアネットワーク制御プレーン機能エンティティに送信することと、前記ターゲット基地局が、前記コアネットワーク制御プレーン機能エンティティから送信される伝送経路更新確認メッセージを受信することとをさらに含む。
【００１５】
本開示の実施例の第３態様として、切替シナリオでのＱｏＳパラメータ処理方法を提供する。
前記方法において、ＱｏＳ  ｆｌｏｗに基づくＱｏＳパラメータおよび／またはＲＢに基づくＱｏＳパラメータが含まれる切替要求メッセージを、コアネットワーク制御プレーン機能エンティティからターゲット基地局に送信することを含む。ここで、前記ＱｏＳ  ｆｌｏｗに基づくＱｏＳパラメータまたはＲＢに基づくＱｏＳパラメータは、前記ターゲット基地局の受付制御に用いられる。
【００１６】
選択可能に、前記方法において、前記ターゲット基地局の受付が成功または失敗したＱｏＳ  ｆｌｏｗまたはＲＢの情報が含まれる切替要求確認メッセージを、前記コアネットワーク制御プレーン機能エンティティが前記ターゲット基地局から受信することと、前記コアネットワーク制御プレーン機能エンティティからソース基地局に切替指令を送信することとをさらに含む。
【００１７】
本開示の実施例の第４態様として、切替シナリオでのＱｏＳパラメータ処理方法を提供する。前記方法において、ＱｏＳ  ｆｌｏｗに基づくＱｏＳパラメータおよび／またはＲＢに基づくＱｏＳパラメータが含まれる切替要求メッセージを、ターゲット基地局がコアネットワーク制御プレーン機能エンティティから受信することと、前記ターゲット基地局が、前記ＱｏＳ  ｆｌｏｗに基づくＱｏＳパラメータまたはＲＢに基づくＱｏＳパラメータに基づいて、受付制御を行うこととを含む。
【００１８】
選択可能に、前記方法において、前記ターゲット基地局が、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することをさらに含む。
【００１９】
選択可能に、前記切替要求メッセージは、ソース基地局によって生成されたＱｏＳ  ｆｌｏｗからＲＢへのマッピング関係をさらに含む。前記方法において、前記ターゲット基地局が、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することをさらに含む。
【００２０】
選択可能に、前記方法において、前記ターゲット基地局の受付が成功または失敗したＱｏＳ  ｆｌｏｗまたはＲＢの情報が含まれる切替要求確認メッセージを、前記ターゲット基地局から前記コアネットワーク制御プレーン機能エンティティに送信することをさらに含む。
【００２１】
本開示の実施例の第５態様として、ソース基地局を提供する。前記ソース基地局は、ＱｏＳ  ｆｌｏｗに基づくＱｏＳパラメータおよび／またはＲＢに基づくＱｏＳパラメータが含まれる切替要求メッセージを、ターゲット基地局に送信することに用いられる第１送信モジュールを含む。ここで、前記ＱｏＳ  ｆｌｏｗに基づくＱｏＳパラメータまたはＲＢに基づくＱｏＳパラメータは、前記ターゲット基地局の受付制御に用いられる。
【００２２】
選択可能に、前記切替要求メッセージは、前記ソース基地局によって生成されたＱｏＳ  ｆｌｏｗからＲＢへのマッピング関係をさらに含む。
【００２３】
選択可能に、前記ソース基地局は、前記ターゲット基地局から切替応答メッセージを受信することに用いられる第１受信モジュールをさらに含む。前記切替応答メッセージは、前記ターゲット基地局の受付が成功または失敗したＱｏＳ  ｆｌｏｗまたはＲＢの情報を含む。
【００２４】
本開示の実施例の第６態様として、ターゲット基地局を提供する。前記ターゲット基地局は、ＱｏＳ  ｆｌｏｗに基づくＱｏＳパラメータおよび／またはＲＢに基づくＱｏＳパラメータが含まれる切替要求メッセージをソース基地局から受信することに用いられる第２受信モジュールと、前記ＱｏＳ  ｆｌｏｗに基づくＱｏＳパラメータまたはＲＢに基づくＱｏＳパラメータに基づいて、受付制御を行うことに用いられる第１受付制御モジュールとを含む。
【００２５】
選択可能に、前記ターゲット基地局は、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することに用いられる第１生成モジュールをさらに含む。
【００２６】
選択可能に、前記切替要求メッセージは、前記ソース基地局によって生成されたＱｏＳ  ｆｌｏｗからＲＢへのマッピング関係をさらに含む。前記ターゲット基地局は、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することに用いられる第２生成モジュールをさらに含む。
【００２７】
選択可能に、前記ターゲット基地局は、前記ソース基地局に切替要求応答メッセージを送信することに用いられる第２送信モジュールをさらに含む。前記切替要求応答メッセージは、前記ターゲット基地局の受付が成功または失敗したＱｏＳ  ｆｌｏｗまたはＲＢの情報を含む。
【００２８】
選択可能に、前記ターゲット基地局は、受付したＱｏＳ  ｆｌｏｗの情報が運ばれる伝送経路更新メッセージを、コアネットワーク制御プレーン機能エンティティに送信することに用いられる第６送信モジュールと、前記コアネットワーク制御プレーン機能エンティティから送信される伝送経路更新確認メッセージを受信することに用いられる第５受信モジュールとをさらに含む。
【００２９】
本開示の実施例の第７態様として、コアネットワーク制御プレーン機能エンティティを提供する。前記コアネットワーク制御プレーン機能エンティティは、ＱｏＳ  ｆｌｏｗに基づくＱｏＳパラメータおよび／またはＲＢに基づくＱｏＳパラメータが含まれる切替要求メッセージを、ターゲット基地局に送信することに用いられる第３送信モジュールを含む。ここで、前記ＱｏＳ  ｆｌｏｗに基づくＱｏＳパラメータまたはＲＢに基づくＱｏＳパラメータは、前記ターゲット基地局の受付制御に用いられる。
【００３０】
選択可能に、前記コアネットワーク制御プレーン機能エンティティは、前記ターゲット基地局の受付が成功または失敗したＱｏＳ  ｆｌｏｗの情報またはＲＢの情報が含まれる切替要求確認メッセージを、前記ターゲット基地局から受信することに用いられる第３受信モジュールと、ソース基地局に切替指令を送信することに用いられる第４送信モジュールとをさらに含む。
【００３１】
本開示の実施例の第８態様として、ターゲット基地局を提供する。前記ターゲット基地局は、ＱｏＳ  ｆｌｏｗに基づくＱｏＳパラメータおよび／またはＲＢに基づくＱｏＳパラメータが含まれる切替要求メッセージを、コアネットワーク制御プレーン機能エンティティから受信することに用いられる第４受信モジュールと、前記ＱｏＳ  ｆｌｏｗに基づくＱｏＳパラメータまたはＲＢに基づくＱｏＳパラメータに基づいて、受付制御を行うことに用いられる第２受付制御モジュールとを含む。
【００３２】
選択可能に、前記ターゲット基地局は、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することに用いられる第３生成モジュールをさらに含む。
【００３３】
選択可能に、前記切替要求メッセージは、ソース基地局によって生成されたＱｏＳ  ｆｌｏｗからＲＢへのマッピング関係をさらに含む。
前記ターゲット基地局は、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することに用いられる第４生成モジュールをさらに含む。
【００３４】
選択可能に、前記ターゲット基地局は、前記ターゲット基地局の受付が成功または失敗したＱｏＳ  ｆｌｏｗまたはＲＢの情報が含まれる切替要求確認メッセージを、前記コアネットワーク制御プレーン機能エンティティに送信することに用いられる第５送信モジュールをさらに含む。
【００３５】
本開示の実施例の第９態様として、ソース基地局を提供する。前記ソース基地局は、プロセッサと、メモリと、トランシーバを含む。前記プロセッサは、メモリからプログラムを読み取ることによって、ＱｏＳ  ｆｌｏｗに基づくＱｏＳパラメータおよび／またはＲＢに基づくＱｏＳパラメータが含まれる切替要求メッセージを、前記トランシーバでターゲット基地局に送信するプロセスを実行することに用いられる。ここで、前記ＱｏＳ  ｆｌｏｗに基づくＱｏＳパラメータまたはＲＢに基づくＱｏＳパラメータは、前記ターゲット基地局の受付制御に用いられる。前記トランシーバは、データの送受信に用いられる。前記メモリは、前記プロセッサによる操作実行に用いられるデータを記憶することができる。
【００３６】
本開示の実施例の第１０態様として、ターゲット基地局を提供する。前記ターゲット基地局は、プロセッサと、メモリと、トランシーバを含む。前記プロセッサは、メモリからプログラムを読み取ることによって、ＱｏＳ  ｆｌｏｗに基づくＱｏＳパラメータおよび／またはＲＢに基づくＱｏＳパラメータが含まれる切替要求メッセージを、ソース基地局から前記トランシーバで受信するプロセスと、前記ＱｏＳ  ｆｌｏｗに基づくＱｏＳパラメータまたはＲＢに基づくＱｏＳパラメータに基づいて、受付制御を行うプロセスとを実行することに用いられる。前記トランシーバは、データの送受信に用いられる。前記メモリは、前記プロセッサによる操作実行に用いられるデータを記憶することができる。
【００３７】
本開示の実施例の第１１態様として、コアネットワーク制御プレーン機能エンティティを提供する。前記コアネットワーク制御プレーン機能エンティティは、プロセッサと、メモリと、トランシーバを含む。前記プロセッサは、メモリからプログラムを読み取ることによって、ＱｏＳ  ｆｌｏｗに基づくＱｏＳパラメータおよび／またはＲＢに基づくＱｏＳパラメータが含まれる切替要求メッセージを、前記トランシーバでターゲット基地局に送信するプロセスを実行することに用いられる。ここで、前記ＱｏＳ  ｆｌｏｗに基づくＱｏＳパラメータまたはＲＢに基づくＱｏＳパラメータは、前記ターゲット基地局の受付制御に用いられる。前記トランシーバは、データの送受信に用いられる。前記メモリは、前記プロセッサによる操作実行に用いられるデータを記憶することができる。
【００３８】
本開示の実施例の第１２態様として、ターゲット基地局を提供する。前記ターゲット基地局は、プロセッサと、メモリと、トランシーバを含む。前記プロセッサは、メモリからプログラムを読み取ることによって、ＱｏＳ  ｆｌｏｗに基づくＱｏＳパラメータおよび／またはＲＢに基づくＱｏＳパラメータが含まれる切替要求メッセージを、コアネットワーク制御プレーン機能エンティティから前記トランシーバで受信するプロセスと、前記ＱｏＳ  ｆｌｏｗに基づくＱｏＳパラメータまたはＲＢに基づくＱｏＳパラメータに基づいて、受付制御を行うプロセスとを実行することに用いられる。前記トランシーバは、データの送受信に用いられる。前記メモリは、前記プロセッサによる操作実行に用いられるデータを記憶することができる。
【発明の効果】
【００３９】
切替プロセスにおいて、ＱｏＳ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＱｏＳ  ｆｌｏｗに基づくＱｏＳパラメータまたはＲＢに基づくＱｏＳパラメータに基づいて受付制御を行い、受付の成功および／または失敗したＱｏＳ  ｆｌｏｗ情報またはＲＢ情報を切替要求応答で返信する。ターゲット基地局は、受信したＱｏＳ  ｆｌｏｗ情報に基づいて、ＱｏＳ要求が一致するＱｏＳ  ｆｌｏｗを集合し、ＱｏＳ  ｆｌｏｗからＲＢへの集合マッピング関係、および対応するＲＢの配置パラメータを生成する。ターゲット基地局は、受付したＱｏＳ  ｆｌｏｗ情報をコアネットワークに送信し、切替シナリオでのＱｏＳ処理を実現する。
【図面の簡単な説明】
【００４０】
本開示の実施例の技術手段をより明確に説明するために、以下、実施例の記載に必要とされる図面を簡単に紹介する。明らかに、以下の記載に関する図面は、単に本願の一部の実施例である。当業者にとって、創造性のある作業をしない前提で、これらの図面から他の図面を得ることもできる。以下の図面は、わざわざ実際のサイズにしたがって等比例に収縮または拡大して描いていなく、本願の趣旨を示すことにポイントを置く。
【００４１】
【図１】関連技術のＬＴＥシステムにおけるベアラモデルを示す。
【図２】典型的なＬＴＥアーキテクチャを示す。
【図３】将来の移動通信アーキテクチャを示す。
【図４】５Ｇネットワークアーキテクチャを示す。
【図５】本開示の一部実施例の切替シナリオでのＱｏＳパラメータ処理方法のフローチャートである。
【図６】本開示の一部実施例の切替シナリオでのＱｏＳパラメータ処理方法の別のフローチャートである。
【図７】本開示の一部実施例の切替シナリオでのＱｏＳパラメータ処理方法のまた別のフローチャートである。
【図８】本開示の一部実施例の切替シナリオでのＱｏＳパラメータ処理方法のさらに別のフローチャートである。
【図９】本開示の一部実施例のＱｏＳ  ｆｌｏｗ受付に基づくＱｏＳ処理のフローを示す。
【図１０】本開示の一部実施例のＲＢ受付に基づくＱｏＳ処理のフローを示す。
【図１１】本開示の一部実施例のＱｏＳ  ｆｌｏｗ受付に基づくＱｏＳ処理の別のフローを示す。
【図１２】本開示の一部実施例のＲＢ受付に基づくＱｏＳ処理の別のフローを示す。
【図１３】本開示の一部実施例のソース基地局を示す。
【図１４】本開示の一部実施例のターゲット基地局を示す。
【図１５】本開示の一部実施例のコアネットワーク制御プレーン機能エンティティを示す。
【図１６】本開示の一部実施例の別のターゲット基地局を示す。
【発明を実施するための形態】
【００４２】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００４３】
当業者にとって、本開示の実施形態がシステム、装置、機器、方法またはコンピュータプログラムプロダクトとして実現されうることが明白である。したがって、本開示の実施例は、具体的に、完全ハードウェア形態、完全ソフトウェア（ファームウェア、滞在ソフトウェア、マイクロコードなどを含む）形態、または、ハードウェアとソフトウェアを組み合わせた形態で実現されうる。
【００４４】
本開示の実施形態は、異なるネットワーク配置構造に用いられる。記載しやすくするために、まず将来の移動通信に用いられうるネットワーク配置構造を２種類紹介する。
【００４５】
配置構造１：基地局と端末を含む。
図２には、典型的なＬＴＥアーキテクチャが示されている。ｅＮＢ（Ｅｖｏｌｖｅｄ  Ｎｏｄｅ  Ｂ）の配下に複数のセル（ｃｅｌｌ）があり、接続状態の端末（ＵＥ）とセルとは、エアインタフェースのデータ送受信を行う。
【００４６】
配置構造２：ネットワーク側ノードとユーザ側ノードを含む。ここで、ネットワーク側ノードは、中央ユニットＣＵ（Ｃｅｎｔｒａｌ  Ｕｎｉｔ）と分布式ユニットＤＵ（Ｄｉｓｔｒｉｂｕｔｅｄ  Ｕｎｉｔ）に分けられる。ユーザ側ノードは、端末である。
【００４７】
図３には、将来の移動通信アーキテクチャが示されている。ネットワーク側ノードは、中央ユニットと分布式ノードを含む。１つの中央ユニットは、一定エリアに配置される複数の分布式ユニットを制御する。当該複数の分布式ユニットは、ＴＲＰ（Ｔｒａｎｓｍｉｓｓｉｏｎ  Ｒｅｃｅｐｔｉｏｎ  Ｐｏｉｎｔ）によって端末とエアインタフェースの伝送を行う。１つまたは複数のＴＲＰは、同時に端末にサービングしてデータ伝送を行うことができる。
【００４８】
本開示は、上記２種類の無線アクセスネットワークＲＡＮ（Ｒａｄｉｏ  Ａｃｃｅｓｓ  Ｎｅｔｗｏｒｋ）アーキテクチャに適用する。以下の記載において、記載を統一するために、ネットワーク側の無線シグナリングおよびデータ送受信ノードは、配置構造１のｅＮＢであるか、配置構造２のＣＵ／ＤＵ（具体的にＴＲＰである）であるかに関わらず、統一して基地局（ＮＧ−ＮＢ）と称する。
【００４９】
図４には、５Ｇネットワークアーキテクチャが示されている。ネットワークアーキテクチャに含まれる３つの論理エンティティは、それぞれ、コアネットワーク制御プレーン機能エンティティに位置するＣＮ−Ｃ（Ｃｏｒｅ  Ｎｅｔｗｏｒｋ−Ｃｏｎｔｒｏｌ）とＣＮ−Ｕ（Ｃｏｒｅ  Ｎｅｔｗｏｒｋ−Ｕｓｅｒ）、および、アクセスネットワークに位置するＮＧ−ＮＢ（Ｎｅｘｔ  Ｇｅｎｅｒａｔｉｏｎ−Ｎｏｄｅ  Ｂ）とｅＬＴＥ  ｅＮＢである。ＣＮ−ＣとＮＧ−ＮＢとは、制御プレーンのシグナリング伝送用のＳ１＊−Ｃインタフェースが確立され、ＣＮ−ＵとＮＧ−ＮＢとは、ユーザプレーンのデータ伝送用のＳ１＊−Ｕが確立される。無線アクセスネットワークＮＧ−ＮＢの間は、制御プレーン（例えばＸ２＊−Ｃ）とユーザプレーン機能（Ｘ２＊−Ｕ）を同時にサポートするＸ２＊インタフェースが確立される。
【００５０】
Ｓ１＊−Ｃでは、ＵＥを粒度とする制御プレーン接続（各ＵＥに対応する制御プレーン接続は、Ｓ１＊−ＡＰ  ＩＤで識別される。）が確立され、Ｓ１＊−Ｕでは、ＰＤＵ（Ｐｒｏｔｏｃｏｌ  Ｄａｔａ  Ｕｎｉｔ）セッション（ＰＤＵ  ｓｅｓｓｉｏｎ）を粒度とするユーザプレーン接続（またはユーザプレーントンネルと称される）が確立される。１つのＵＥは、ＣＮ−ＣとのＳ１＊−Ｃ接続を同時に１つしか保持できないが、ＣＮ−ＵとはＳ１＊−ＵインタフェースでＰＤＵセッションを粒度とするユーザプレーン接続（またはユーザプレーントンネルと称される）を同時に複数確立することができる。無線アクセスネットワークにおいて、１つまたは複数のＮＧ−ＮＢが同時にＵＥにサービングする。
【００５１】
本開示の一部実施例において、図５に示す切替シナリオでのＱｏＳパラメータ処理方法は、具体的に下記ステップを含む。
【００５２】
ステップ５０１において、ＱｏＳ  ｆｌｏｗに基づくＱｏＳパラメータおよび／またはＲＢに基づくＱｏＳパラメータが含まれる切替要求メッセージを、ソース基地局からターゲット基地局に送信する。ここで、前記ＱｏＳ  ｆｌｏｗに基づくＱｏＳパラメータまたはＲＢに基づくＱｏＳパラメータは、前記ターゲット基地局の受付制御に用いられる。
【００５３】
本実施例において、ソース基地局とターゲット基地局は、図２の２つの異なるｅＮＢに対応し、または、図３の２つの異なるＴＲＰに対応する。
【００５４】
本実施例において、選択可能に、前記切替要求メッセージは、前記ソース基地局によって生成されたＱｏＳ  ｆｌｏｗからＲＢへのマッピング関係をさらに含む。
【００５５】
本実施例の前記方法において、選択可能に、前記ソース基地局が前記ターゲット基地局から切替応答メッセージを受信することをさらに含む。前記切替応答メッセージは、前記ターゲット基地局の受付が成功または失敗したＱｏＳ  ｆｌｏｗまたはＲＢの情報を含む。
【００５６】
本実施例の切替プロセスにおいて、ＱｏＳ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＱｏＳ  ｆｌｏｗに基づくＱｏＳパラメータまたはＲＢに基づくＱｏＳパラメータに基づいて受付制御を行い、成功および／または失敗したＱｏＳ  ｆｌｏｗ情報またはＲＢ情報を切替要求応答で返信する。ターゲット基地局は、受信したＱｏＳ  ｆｌｏｗ情報に基づいて、ＱｏＳ要求が一致するＱｏＳ  ｆｌｏｗを集合し、ＱｏＳ  ｆｌｏｗからＲＢへの集合マッピング関係、および対応するＲＢの配置パラメータを生成する。ターゲット基地局は、受付したＱｏＳ  ｆｌｏｗ情報をコアネットワークに送信する。
【００５７】
なお、ソース基地局は、ソース基地局によって生成されたＱｏＳ  ｆｌｏｗからＲＢへのマッピング関係を切替要求メッセージに運ばせてもよい。ターゲット基地局は、当該マッピング関係を参照して自身のＱｏＳ  ｆｌｏｗからＲＢへのマッピング関係、および対応する配置パラメータを生成する。
【００５８】
本開示の一部実施例において、図６に示す切替シナリオでのＱｏＳパラメータ処理方法は、具体的に下記ステップを含む。
【００５９】
ステップ６０１において、ＱｏＳ  ｆｌｏｗに基づくＱｏＳパラメータおよび／またはＲＢに基づくＱｏＳパラメータが含まれる切替要求メッセージを、ターゲット基地局がソース基地局から受信する。
【００６０】
ステップ６０２において、ターゲット基地局は、前記ＱｏＳ  ｆｌｏｗに基づくＱｏＳパラメータまたはＲＢに基づくＱｏＳパラメータに基づいて、受付制御を行う。
【００６１】
本実施例の前記方法において、選択可能に、前記ターゲット基地局が、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することをさらに含む。
【００６２】
本実施例において、選択可能に、前記切替要求メッセージは、前記ソース基地局によって生成されたＱｏＳ  ｆｌｏｗからＲＢへのマッピング関係をさらに含む。前記方法において、前記ターゲット基地局が、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することをさらに含む。
【００６３】
本実施例の前記方法において、選択可能に、前記ターゲット基地局から前記ソース基地局に切替要求応答メッセージを送信することをさらに含む。前記切替要求応答メッセージは、前記ターゲット基地局の受付が成功または失敗したＱｏＳ  ｆｌｏｗまたはＲＢの情報を含む。
【００６４】
本実施例の前記方法において、選択可能に、受付したＱｏＳ  ｆｌｏｗの情報が運ばれる伝送経路更新メッセージを、前記ターゲット基地局からコアネットワーク制御プレーン機能エンティティに送信することと、前記ターゲット基地局が、前記コアネットワーク制御プレーン機能エンティティから送信される伝送経路更新確認メッセージを受信することとをさらに含む。
【００６５】
本実施例の切替プロセスにおいて、ＱｏＳ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＱｏＳ  ｆｌｏｗに基づくＱｏＳパラメータまたはＲＢに基づくＱｏＳパラメータに基づいて受付制御を行い、成功および／または失敗したＱｏＳ  ｆｌｏｗ情報またはＲＢ情報を切替要求応答で返信する。ターゲット基地局は、受信したＱｏＳ  ｆｌｏｗ情報に基づいて、ＱｏＳ要求が一致するＱｏＳ  ｆｌｏｗを集合し、ＱｏＳ  ｆｌｏｗからＲＢへの集合マッピング関係、および対応するＲＢの配置パラメータを生成する。ターゲット基地局は、受付したＱｏＳ  ｆｌｏｗ情報をコアネットワークに送信する。
【００６６】
なお、ソース基地局は、ソース基地局によって生成されたＱｏＳ  ｆｌｏｗからＲＢへのマッピング関係を切替要求メッセージに運ばせてもよい。ターゲット基地局は、当該マッピング関係を参照して自身のＱｏＳ  ｆｌｏｗからＲＢへのマッピング関係、および対応する配置パラメータを生成する。
【００６７】
本開示の一部実施例において、図７に示す切替シナリオでのＱｏＳパラメータ処理方法は、具体的に各ステップを含む。
【００６８】
ステップ７０１において、ＱｏＳ  ｆｌｏｗに基づくＱｏＳパラメータおよび／またはＲＢに基づくＱｏＳパラメータが含まれる切替要求メッセージを、コアネットワーク制御プレーン機能エンティティからターゲット基地局に送信する。ここで、前記ＱｏＳ  ｆｌｏｗに基づくＱｏＳパラメータまたはＲＢに基づくＱｏＳパラメータは、前記ターゲット基地局の受付制御に用いられる。
【００６９】
本実施例の前記方法において、選択可能に、前記ターゲット基地局の受付が成功または失敗したＱｏＳ  ｆｌｏｗまたはＲＢの情報が含まれる切替要求確認メッセージを、前記コアネットワーク制御プレーン機能エンティティが前記ターゲット基地局から受信することと、前記コアネットワーク制御プレーン機能エンティティからソース基地局に切替指令を送信することとをさらに含む。
【００７０】
本実施例において、ソース基地局（ソースＮＧ−ＮＢ）からコアネットワーク制御プレーン機能エンティティ（たとえば５Ｇ  ＣＮ−Ｃ）に切替準備要求メッセージを送信する。当該切替準備要求メッセージには、ソース基地局によって生成されてターゲット基地局（ターゲットＮＧ−ＮＢ）に送信されるＱｏＳ  ｆｌｏｗからＲＢへのマッピング関係、およびＲＢに基づくＱｏＳパラメータが運ばれる。当該マッピング関係およびＲＢに基づくＱｏＳパラメータは、コアネットワークにとって透明であり、コアネットワーク制御プレーン機能エンティティからターゲット基地局にトランスペアレント伝送される。それから、コアネットワーク制御プレーン機能エンティティは、ＱｏＳ  ｆｌｏｗに基づくＱｏＳパラメータおよびソース基地局からターゲット基地局にトランスペアレント伝送される情報が運ばれる切替要求メッセージをターゲット基地局に送信する。ターゲット基地局は、ＱｏＳ  ｆｌｏｗに基づくＱｏＳパラメータまたはＲＢに基づくＱｏＳパラメータに基づいて受付制御を行い、切替要求確認メッセージによって、受付が成功および失敗したＱｏＳ  ｆｌｏｗ情報をコアネットワーク制御プレーン機能エンティティに返信し、受付が失敗したＲＢ情報をターゲットＮＧ−ＮＢに返信する（当該情報はコアネットワークにとって透明である）。ターゲット基地局は、ＱｏＳ要求が一致するＱｏＳ  ｆｌｏｗを集合し、ＱｏＳ  ｆｌｏｗからＲＢへの集合マッピング関係、および対応するＲＢの配置パラメータを生成する。ＱｏＳ  ｆｌｏｗからＲＢへのマッピング関係がソース基地局にある場合、ターゲット基地局は、当該情報を参照して自身のＱｏＳ  ｆｌｏｗからＲＢへの集合マッピング関係、および対応する配置パラメータを生成する。コアネットワーク制御プレーン機能エンティティは、ターゲット側で受付が失敗したＱｏＳ  ｆｌｏｗ情報が運ばれた切替指令をソース基地局に送信する。
【００７１】
本開示の一部実施例において、図８に示す切替シナリオでのＱｏＳパラメータ処理方法は、具体的に下記のステップを含む。
【００７２】
ステップ８０１において、ＱｏＳ  ｆｌｏｗに基づくＱｏＳパラメータおよび／またはＲＢに基づくＱｏＳパラメータが含まれる切替要求メッセージを、ターゲット基地局がコアネットワーク制御プレーン機能エンティティから受信する。
【００７３】
ステップ８０２において、ターゲット基地局は、前記ＱｏＳ  ｆｌｏｗに基づくＱｏＳパラメータまたはＲＢに基づくＱｏＳパラメータに基づいて、受付制御を行う。
【００７４】
本実施例の前記方法において、選択可能に、前記ターゲット基地局が、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することをさらに含む。
【００７５】
本実施例において、選択可能に、前記切替要求メッセージは、前記ソース基地局によって生成されたＱｏＳ  ｆｌｏｗからＲＢへのマッピング関係をさらに含む。
【００７６】
前記方法において、前記ターゲット基地局が、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することをさらに含む。
【００７７】
本実施例の前記方法において、選択可能に、前記ターゲット基地局の受付が成功または失敗したＱｏＳ  ｆｌｏｗまたはＲＢの情報が含まれる切替要求確認メッセージを、前記ターゲット基地局から前記コアネットワーク制御プレーン機能エンティティに送信することをさらに含む。
【００７８】
本実施例において、ソース基地局（ソースＮＧ−ＮＢ）からコアネットワーク制御プレーン機能エンティティ（たとえば５Ｇ  ＣＮ−Ｃ）に切替準備要求メッセージを送信する。当該切替準備要求メッセージは、ソース基地局によって生成されてターゲット基地局（ターゲットＮＧ−ＮＢ）に送信されるＱｏＳ  ｆｌｏｗからＲＢへのマッピング関係、およびＲＢに基づくＱｏＳパラメータが運ばれる。当該マッピング関係およびＲＢに基づくＱｏＳパラメータは、コアネットワークにとって透明であり、コアネットワーク制御プレーン機能エンティティからターゲット基地局にトランスペアレント伝送される。それから、コアネットワーク制御プレーン機能エンティティは、ＱｏＳ  ｆｌｏｗに基づくＱｏＳパラメータおよびソース基地局からターゲット基地局にトランスペアレント伝送される情報が運ばれる切替要求メッセージをターゲット基地局に送信する。ターゲット基地局は、ＱｏＳ  ｆｌｏｗに基づくＱｏＳパラメータまたはＲＢに基づくＱｏＳパラメータに基づいて受付制御を行い、切替要求確認メッセージによって、受付が成功および失敗したＱｏＳ  ｆｌｏｗ情報をコアネットワーク制御プレーン機能エンティティに返信し、受付が失敗したＲＢ情報をターゲットＮＧ−ＮＢに返信する（当該情報はコアネットワークにとって透明である）。ターゲット基地局は、ＱｏＳ要求が一致するＱｏＳ  ｆｌｏｗを集合し、ＱｏＳ  ｆｌｏｗからＲＢへの集合マッピング関係、および対応するＲＢの配置パラメータを生成する。ＱｏＳ  ｆｌｏｗからＲＢへのマッピング関係がソース基地局にある場合、ターゲット基地局は、当該情報を参照して自身のＱｏＳ  ｆｌｏｗからＲＢへの集合マッピング関係、および対応する配置パラメータを生成する。コアネットワーク制御プレーン機能エンティティは、ターゲット側で受付が失敗したＱｏＳ  ｆｌｏｗ情報が運ばれた切替指令をソース基地局に送信する。
【００７９】
本開示の一部実施例において、図９には、ＱｏＳ  ｆｌｏｗ受信に基づくＱｏＳ処理フローが示されている。本実施例において、ＮＧ−ＮＢとＮＧ−ＮＢとの間に直接インタフェースが存在する。具体的なステップは、以下である。
【００８０】
ステップ９０１において、ソースＮＧ−ＮＢは、切替要求メッセージをターゲットＮＧ−ＮＢに送信する。該メッセージには、ＱｏＳ  ｆｌｏｗに基づくＱｏＳパラメータが運ばれ、さらに、ソース基地局によって生成されたＱｏＳ  ｆｌｏｗからＲＢへのマッピング関係も運ばれる。
【００８１】
ステップ９０２において、ターゲットＮＧ−ＮＢは、ｆｌｏｗのＱｏＳパラメータに基づいて受付制御を行い、成功および失敗したｆｌｏｗ情報を切替要求応答メッセージで返信する。ターゲットＮＧ−ＮＢは、ＱｏＳ要求が一致するｆｌｏｗを集合し、ＱｏＳ  ｆｌｏｗからＲＢへの集合マッピング関係、および対応するＲＢの配置パラメータを生成する。ソースＮＧ−ＮＢにＱｏＳ  ｆｌｏｗからＲＢへのマッピング関係がある場合、ターゲットＮＧ−ＮＢは、当該情報を参照して、自身のＱｏＳ  ｆｌｏｗからＲＢへの集合マッピング関係、および対応する配置パラメータを生成する。
【００８２】
ステップ９０３において、ターゲットＮＧ−ＮＢは、受付が成功したｆｌｏｗ情報が運ばれる伝送経路更新メッセージを５Ｇ  ＣＮ−Ｃに送信する。
【００８３】
ステップ９０４において、５Ｇ  ＣＮ−Ｃは、更新確認済みｆｌｏｗ情報が運ばれる伝送経路更新確認メッセージをターゲットＮＧ−ＮＢに返信する。
【００８４】
本開示の一部実施例において、図１０には、ＲＢ受付に基づくＱｏＳ処理フローが示されている。本実施例において、ＮＧ−ＮＢとＮＧ−ＮＢとの間に直接インタフェースが存在する。具体的なステップは、以下である。
【００８５】
ステップ１００１において、ソースＮＧ−ＮＢは、切替要求メッセージをターゲットＮＧ−ＮＢに送信する。メッセージには、ＲＢに基づくＱｏＳパラメータ、ＱｏＳ  ｆｌｏｗに基づくＱｏＳパラメータが運ばれ、さらに、ソース基地局によって生成されたＱｏＳ  ｆｌｏｗからＲＢへのマッピング関係も運ばれる。
【００８６】
ステップ１００２において、ターゲットＮＧ−ＮＢは、ＲＢに基づくＱｏＳパラメータに基づいて受付制御を行い、受付が成功および失敗したＲＢ情報を切替要求応答メッセージで返信する。ターゲットＮＧ−ＮＢは、受信したｆｌｏｗ  ＱｏＳ情報に基づいて、ＱｏＳ要求が一致するｆｌｏｗを集合し、ＱｏＳ  ｆｌｏｗからＲＢへの集合マッピング関係、および対応するＲＢの配置パラメータを生成する。ソースＮＧ−ＮＢがＱｏＳ  ｆｌｏｗからＲＢへのマッピング関係を保有する場合、ターゲットＮＧ−ＮＢは、当該情報を参照して、自身のＱｏＳ  ｆｌｏｗからＲＢへの集合マッピング関係、および対応する配置パラメータを生成する。
【００８７】
ステップ１００３において、ターゲットＮＧ−ＮＢは、受付したｆｌｏｗ情報が運ばれる伝送経路更新メッセージを５Ｇ  ＣＮ−Ｃに送信する。
【００８８】
ステップ１００４において、５Ｇ  ＣＮ−Ｃは、更新確認済みｆｌｏｗ情報が運ばれる伝送経路更新確認メッセージをターゲットＮＧ−ＮＢに返信する。
【００８９】
本開示の一部実施例において、図１１には、ＱｏＳ  ｆｌｏｗ受付に基づくＱｏＳ処理フローが示されている。本実施例において、ＮＧ−ＮＢとＮＧ−ＮＢとの間に直接インタフェースが存在しない。具体的なステップは、以下である。
【００９０】
ステップ１１０１において、ソースＮＧ−ＮＢから切替準備要求メッセージを５Ｇ  ＣＮ−Ｃに送信する。メッセージは、ソース基地局によって生成されたＱｏＳ  ｆｌｏｗからＲＢへのマッピング関係が運ばれてターゲットＮＧ−ＮＢに送信される。当該情報は、コアネットワークにとって透明であり、コアネットワークからターゲットＮＧ−ＮＢにトランスペアレント伝送される。
【００９１】
ステップ１１０２において、５Ｇ  ＣＮ−Ｃは、切替要求メッセージをターゲットＮＧ−ＮＢに送信する。メッセージには、ＱｏＳ  ｆｌｏｗに基づくＱｏＳパラメータ、およびソースＮＧ−ＮＢからターゲットＮＧ−ＮＢにトランスペアレント伝送される情報が運ばれる。
【００９２】
ステップ１１０３において、ターゲットＮＧ−ＮＢは、ＱｏＳ  ｆｌｏｗに基づくＱｏＳパラメータに基づいて受付制御を行い、受付が成功および失敗したｆｌｏｗ情報を切替要求確認メッセージで５Ｇ  ＣＮ−Ｃに返信する。ターゲットＮＧ−ＮＢは、ＱｏＳ要求が一致するｆｌｏｗを集合し、ＱｏＳ  ｆｌｏｗからＲＢへの集合マッピング関係、および対応するＲＢの配置パラメータを生成する。ソースＮＧ−ＮＢがＱｏＳ  ｆｌｏｗからＲＢへのマッピング関係を保有する場合、ターゲット基地局は、当該情報を参照して、自身のＱｏＳ  ｆｌｏｗからＲＢへの集合マッピング関係、および対応する配置パラメータを生成する。
【００９３】
ステップ１１０４において、５Ｇ  ＣＮ−Ｃは、ターゲット側で受付が失敗したｆｌｏｗ情報が運ばれる切替指令をソースＮＧ−ＮＢに送信する。
【００９４】
本開示の一部実施例において、図１２には、ＲＢ受信に基づくＱｏＳ処理フローが示されている。本実施例において、ＮＧ−ＮＢとＮＧ−ＮＢとの間に直接インタフェースが存在しない。具体的なステップは、以下である。
【００９５】
ステップ１２０１において、ソースＮＧ−ＮＢから切替準備要求メッセージを５Ｇ  ＣＮ−Ｃに送信する。メッセージは、ＲＢに基づくＱｏＳパラメータ、および、ソース基地局によって生成されたＱｏＳ  ｆｌｏｗからＲＢへのマッピング関係が運ばれてターゲットＮＧ−ＮＢに送信される。当該情報は、コアネットワークにとって透明であり、コアネットワークからターゲットＮＧ−ＮＢにトランスペアレント伝送される。
【００９６】
ステップ１２０２において、５Ｇ  ＣＮ−Ｃは、切替要求メッセージをターゲットＮＧ−ＮＢに送信する。メッセージには、ＱｏＳ  ｆｌｏｗに基づくＱｏＳパラメータ、およびソースＮＧ−ＮＢからターゲットＮＧ−ＮＢにトランスペアレント伝送される情報が運ばれる。
【００９７】
ステップ１２０３において、ターゲットＮＧ−ＮＢは、ＲＢに基づくＱｏＳパラメータに基づいて受付制御を行い、受付が成功および失敗したｆｌｏｗ情報を切替要求応答メッセージで５Ｇ  ＣＮ−Ｃに返信し、受付が失敗したＲＢ情報をターゲットＮＧ−ＮＧに返信する（当該情報は、コアネットワークにとって透明である。）。ターゲットＮＧ−ＮＢは、受信したｆｌｏｗ  ＱｏＳ情報に基づいて、ＱｏＳ要求が一致するｆｌｏｗを集合し、ＱｏＳ  ｆｌｏｗからＲＢへの集合マッピング関係、および対応するＲＢの配置パラメータを生成する。ソースＮＧ−ＮＢがＱｏＳ  ｆｌｏｗからＲＢへのマッピング関係を保有する場合、ターゲットＮＧ−ＮＢは、当該情報を参照して、自身のＱｏＳ  ｆｌｏｗからＲＢへの集合マッピング関係、および対応する配置パラメータを生成する。
【００９８】
ステップ１２０４において、５Ｇ  ＣＮ−Ｃは、切替指令をソースＮＧ−ＮＢに送信する。切替指令には、ターゲットＮＧ−ＮＢからソースＮＧ−ＮＢへトランスペアレント伝送した、受付が失敗したＲＢ情報が運ばれる。
【００９９】
本開示の一部実施例において、図１３に示すソース基地局は、ＱｏＳ  ｆｌｏｗに基づくＱｏＳパラメータおよび／またはＲＢに基づくＱｏＳパラメータが含まれる切替要求メッセージを、ターゲット基地局に送信することに用いられる第１送信モジュール１３０１を含む。ここで、前記ＱｏＳ  ｆｌｏｗに基づくＱｏＳパラメータまたはＲＢに基づくＱｏＳパラメータは、前記ターゲット基地局の受付制御に用いられる。
【０１００】
本実施例において、選択可能に、前記切替要求メッセージは、前記ソース基地局によって生成されたＱｏＳ  ｆｌｏｗからＲＢへのマッピング関係をさらに含む。
【０１０１】
本実施例において、選択可能に、前記ソース基地局は、前記ターゲット基地局から切替応答メッセージを受信することに用いられる第１受信モジュールをさらに含む。前記切替応答メッセージは、前記ターゲット基地局の受付が成功または失敗したＱｏＳ  ｆｌｏｗまたはＲＢの情報を含む。
【０１０２】
本実施例の切替プロセスにおいて、ＱｏＳ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＱｏＳ  ｆｌｏｗに基づくＱｏＳパラメータまたはＲＢに基づくＱｏＳパラメータに基づいて受付制御を行い、受付が成功および／または失敗したＱｏＳ  ｆｌｏｗ情報またはＲＢ情報を切替要求応答で返信する。ターゲット基地局は、受信したＱｏＳ  ｆｌｏｗ情報に基づいて、ＱｏＳ要求が一致するＱｏＳ  ｆｌｏｗを集合し、ＱｏＳ  ｆｌｏｗからＲＢへの集合マッピング関係、および対応するＲＢの配置パラメータを生成する。ターゲット基地局は、受付したＱｏＳ  ｆｌｏｗ情報をコアネットワークに送信する。
【０１０３】
なお、ソース基地局は、ソース基地局によって生成されたＱｏＳ  ｆｌｏｗからＲＢへのマッピング関係を切替要求メッセージに運ばせてもよい。ターゲット基地局は、当該マッピング関係を参照して自身のＱｏＳ  ｆｌｏｗからＲＢへのマッピング関係、および対応する配置パラメータを生成する。
【０１０４】
本開示の一部実施例において、図１４に示すターゲット基地局１４００は、ＱｏＳ  ｆｌｏｗに基づくＱｏＳパラメータおよび／またはＲＢに基づくＱｏＳパラメータが含まれる切替要求メッセージをソース基地局から受信することに用いられる第２受信モジュール１４０１と、前記ＱｏＳ  ｆｌｏｗに基づくＱｏＳパラメータまたはＲＢに基づくＱｏＳパラメータに基づいて、受付制御を行うことに用いられる第１受付制御モジュール１４０２とを含む。
【０１０５】
本実施例において、選択可能に、前記ターゲット基地局は、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することに用いられる第１生成モジュールをさらに含む。
【０１０６】
本実施例において、選択可能に、前記切替要求メッセージは、前記ソース基地局によって生成されたＱｏＳ  ｆｌｏｗからＲＢへのマッピング関係をさらに含む。前記ターゲット基地局は、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することに用いられる第２生成モジュールをさらに含む。
【０１０７】
本実施例において、選択可能に、前記ターゲット基地局は、前記ソース基地局に切替要求応答メッセージを送信することに用いられる第２送信モジュールをさらに含む。前記切替要求応答メッセージは、前記ターゲット基地局の受付が成功または失敗したＱｏＳ  ｆｌｏｗまたはＲＢの情報を含む。
【０１０８】
本実施例の切替プロセスにおいて、ＱｏＳ  ｆｌｏｗに基づくＱｏＳパラメータおよび／またはＲＢに基づくＱｏＳパラメータは、切替要求メッセージに運ばれてソース基地局からターゲット基地局に送信される。ターゲット基地局は、当該ＱｏＳ  ｆｌｏｗに基づくＱｏＳパラメータまたはＲＢに基づくＱｏＳパラメータに基づいて受付制御を行い、受付が成功および／または失敗したＱｏＳ  ｆｌｏｗ情報またはＲＢ情報を切替要求応答で返信する。ターゲット基地局は、受信したＱｏＳ  ｆｌｏｗ情報に基づいて、ＱｏＳ要求が一致するＱｏＳ  ｆｌｏｗを集合し、ＱｏＳ  ｆｌｏｗからＲＢへの集合マッピング関係、および対応するＲＢの配置パラメータを生成する。ターゲット基地局は、受付したＱｏＳ  ｆｌｏｗ情報をコアネットワークに送信する。
【０１０９】
なお、ソース基地局は、ソース基地局によって生成されたＱｏＳ  ｆｌｏｗからＲＢへのマッピング関係を切替要求メッセージに運ばせてもよい。ターゲット基地局は、当該マッピング関係を参照して自身のＱｏＳ  ｆｌｏｗからＲＢへのマッピング関係、および対応する配置パラメータを生成する。
【０１１０】
本開示の一部実施例において、図１５に示すコアネットワーク制御プレーン機能エンティティ１５００は、ＱｏＳ  ｆｌｏｗに基づくＱｏＳパラメータおよび／またはＲＢに基づくＱｏＳパラメータが含まれる切替要求メッセージを、ターゲット基地局に送信することに用いられる第３送信モジュール１５０１を含む。ここで、前記ＱｏＳ  ｆｌｏｗに基づくＱｏＳパラメータまたはＲＢに基づくＱｏＳパラメータは、前記ターゲット基地局の受付制御に用いられる。
【０１１１】
本実施例において、選択可能に、前記コアネットワーク制御プレーン機能エンティティは、前記ターゲット基地局の受付が成功または失敗したＱｏＳ  ｆｌｏｗの情報またはＲＢの情報が含まれる切替要求確認メッセージを、前記ターゲット基地局から受信することに用いられる第３受信モジュールと、ソース基地局に切替指令を送信することに用いられる第４送信モジュールとをさらに含む。
【０１１２】
本実施例において、ソース基地局（ソースＮＧ−ＮＢ）からコアネットワーク制御プレーン機能エンティティ（たとえば５Ｇ  ＣＮ−Ｃ）に切替準備要求メッセージを送信する。当切替準備要求メッセージには、ソース基地局によって生成されてターゲット基地局（ターゲットＮＧ−ＮＢ）に送信されるＱｏＳ  ｆｌｏｗからＲＢへのマッピング関係、およびＲＢに基づくＱｏＳパラメータが運ばれる。当該マッピング関係およびＲＢに基づくＱｏＳパラメータは、コアネットワークにとって透明であり、コアネットワーク制御プレーン機能エンティティからターゲット基地局にトランスペアレント伝送される。それから、コアネットワーク制御プレーン機能エンティティは、ＱｏＳ  ｆｌｏｗに基づくＱｏＳパラメータおよびソース基地局からターゲット基地局にトランスペアレント伝送される情報が運ばれる切替要求メッセージをターゲット基地局に送信する。ターゲット基地局は、ＱｏＳ  ｆｌｏｗに基づくＱｏＳパラメータまたはＲＢに基づくＱｏＳパラメータに基づいて受付制御を行い、切替要求確認メッセージで、受付が成功および失敗したＱｏＳ  ｆｌｏｗ情報をコアネットワーク制御プレーン機能エンティティに返信し、受付が失敗したＲＢ情報をターゲットＮＧ−ＮＢに返信する（当該情報はコアネットワークにとって透明である）。ターゲット基地局は、ＱｏＳ要求が一致するＱｏＳ  ｆｌｏｗを集合し、ＱｏＳ  ｆｌｏｗからＲＢへの集合マッピング関係、および対応するＲＢの配置パラメータを生成する。ソース基地局がＱｏＳ  ｆｌｏｗからＲＢへのマッピング関係を保有する場合、ターゲット基地局は、当該情報を参照して自身のＱｏＳ  ｆｌｏｗからＲＢへの集合マッピング関係、および対応する配置パラメータを生成する。コアネットワーク制御プレーン機能エンティティは、ターゲット側で受付が失敗したＱｏＳ  ｆｌｏｗ情報が運ばれた切替指令をソース基地局に送信する。
【０１１３】
本開示の一部実施例において、図１６に示すターゲット基地局１６００は、ＱｏＳ  ｆｌｏｗに基づくＱｏＳパラメータおよび／またはＲＢに基づくＱｏＳパラメータが含まれる切替要求メッセージを、コアネットワーク制御プレーン機能エンティティから受信することに用いられる第４受信モジュール１６０１と、前記ＱｏＳ  ｆｌｏｗに基づくＱｏＳパラメータまたはＲＢに基づくＱｏＳパラメータに基づいて、受付制御を行うことに用いられる第２受付制御モジュール１６０２とを含む。
【０１１４】
本実施例において、選択可能に、前記ターゲット基地局は、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することに用いられる第３生成モジュールをさらに含む。
【０１１５】
本実施例において、選択可能に、前記切替要求メッセージは、ソース基地局によって生成されたＱｏＳ  ｆｌｏｗからＲＢへのマッピング関係をさらに含む。前記ターゲット基地局は、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することに用いられる第４生成モジュールをさらに含む。
【０１１６】
本実施例において、選択可能に、前記ターゲット基地局は、前記ターゲット基地局の受付が成功または失敗したＱｏＳ  ｆｌｏｗまたはＲＢの情報が含まれる切替要求確認メッセージを、前記コアネットワーク制御プレーン機能エンティティに送信することに用いられる第５送信モジュールをさらに含む。
【０１１７】
本実施例において、選択可能に、前記ターゲット基地局は、受付したＱｏＳ  ｆｌｏｗの情報が運ばれる伝送経路更新メッセージを、コアネットワーク制御プレーン機能エンティティに送信することに用いられる第６送信モジュールと、前記コアネットワーク制御プレーン機能エンティティから送信される伝送経路更新確認メッセージを受信することに用いられる第５受信モジュールとをさらに含む。
【０１１８】
本実施例において、ソース基地局（ソースＮＧ−ＮＢ）からコアネットワーク制御プレーン機能エンティティ（たとえば５Ｇ  ＣＮ−Ｃ）に切替準備要求メッセージを送信する。当該切替準備要求メッセージには、ソース基地局によって生成されてターゲット基地局（ターゲットＮＧ−ＮＢ）に送信されるＱｏＳ  ｆｌｏｗからＲＢへのマッピング関係、およびＲＢに基づくＱｏＳパラメータが運ばれる。当該マッピング関係およびＲＢに基づくＱｏＳパラメータは、コアネットワークにとって透明であり、コアネットワーク制御プレーン機能エンティティからターゲット基地局にトランスペアレント伝送される。それから、コアネットワーク制御プレーン機能エンティティは、ＱｏＳ  ｆｌｏｗに基づくＱｏＳパラメータおよびソース基地局からターゲット基地局にトランスペアレント伝送される情報が運ばれる切替要求メッセージをターゲット基地局に送信する。ターゲット基地局は、ＱｏＳ  ｆｌｏｗに基づくＱｏＳパラメータまたはＲＢに基づくＱｏＳパラメータに基づいて受付制御を行い、切替要求確認メッセージによって、受付が成功および失敗したＱｏＳ  ｆｌｏｗ情報をコアネットワーク制御プレーン機能エンティティに返信し、受付が失敗したＲＢ情報をターゲットＮＧ−ＮＢに返信する（当該情報はコアネットワークにとって透明である）。ターゲット基地局は、ＱｏＳ要求が一致するＱｏＳ  ｆｌｏｗを集合し、ＱｏＳ  ｆｌｏｗからＲＢへの集合マッピング関係、および対応するＲＢの配置パラメータを生成する。ソース基地局がＱｏＳ  ｆｌｏｗからＲＢへのマッピング関係を保有する場合、ターゲット基地局は、当該情報を参照して自身のＱｏＳ  ｆｌｏｗからＲＢへの集合マッピング関係、および対応する配置パラメータを生成する。コアネットワーク制御プレーン機能エンティティは、ターゲット側で受付が失敗したＱｏＳ  ｆｌｏｗ情報が運ばれた切替指令をソース基地局に送信する。
【０１１９】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【０１２０】
本開示の各実施例において、上記各プロセスの番号の大きさは、実行順の前後を意味するのではなく、各プロセスの実行順は、その機能および内在的な論理によって確定されるものであり、本発明の実施例の実施プロセスに対しいっさい限定を構成しないと理解すべきである。
【０１２１】
また、本文において、「システム」と「ネットワーク」は、常に互換して使用することができる。
【０１２２】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【０１２３】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【０１２４】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１２５】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１２６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１２７】
以上の記載は、本開示の選択可能な実施形態である。なお、当業者にとって、本開示に記載した原理を逸脱することなくいくつかの改良や修飾を行うこともできる。これらの改良や修飾も、本開示の保護範囲に含まれる。
【手続補正２】
【補正対象書類名】特許請求の範囲
【補正対象項目名】全文
【補正方法】変更
【補正の内容】
【特許請求の範囲】
【請求項１】
切替シナリオでのＱｏＳ（Ｑｕａｌｉｔｙ  ｏｆ  Ｓｅｒｖｉｃｅ）パラメータ処理方法において、
ＱｏＳフロー（ｆｌｏｗ）に基づくＱｏＳパラメータおよび／またはＲＢ（Ｒａｄｉｏ  Ｂｅａｒｅｒ）に基づくＱｏＳパラメータが含まれる切替要求メッセージを、ソース基地局からターゲット基地局に送信することを含み、
ここで、前記ＱｏＳ  ｆｌｏｗに基づくＱｏＳパラメータまたはＲＢに基づくＱｏＳパラメータは、前記ターゲット基地局の受付制御に用いられる方法。
【請求項２】
前記切替要求メッセージは、前記ソース基地局によって生成されたＱｏＳ  ｆｌｏｗからＲＢへのマッピング関係をさらに含む請求項１に記載の方法。
【請求項３】
前記ソース基地局が前記ターゲット基地局から切替応答メッセージを受信することをさらに含み、
前記切替応答メッセージは、前記ターゲット基地局の受付が成功または失敗したＱｏＳ  ｆｌｏｗの情報またはＲＢの情報を含む請求項１に記載の方法。
【請求項４】
切替シナリオでのＱｏＳパラメータ処理方法において、
ＱｏＳ  ｆｌｏｗに基づくＱｏＳパラメータおよび／またはＲＢに基づくＱｏＳパラメータが含まれる切替要求メッセージを、ターゲット基地局がソース基地局から受信することと、
前記ターゲット基地局が、前記ＱｏＳ  ｆｌｏｗに基づくＱｏＳパラメータまたはＲＢに基づくＱｏＳパラメータに基づいて、受付制御を行うこととを含む方法。
【請求項５】
前記ターゲット基地局が、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することをさらに含む請求項４に記載の方法。
【請求項６】
前記切替要求メッセージは、前記ソース基地局によって生成されたＱｏＳ  ｆｌｏｗからＲＢへのマッピング関係をさらに含み、
前記ターゲット基地局が、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することをさらに含む請求項４に記載の方法。
【請求項７】
前記ターゲット基地局から前記ソース基地局に切替要求応答メッセージを送信することをさらに含み、
前記切替要求応答メッセージは、前記ターゲット基地局の受付が成功または失敗したＱｏＳ  ｆｌｏｗの情報またはＲＢの情報を含む請求項４に記載の方法。
【請求項８】
受付したＱｏＳ  ｆｌｏｗの情報が運ばれる伝送経路更新メッセージを、前記ターゲット基地局からコアネットワーク制御プレーン機能エンティティに送信することと、
前記ターゲット基地局が、前記コアネットワーク制御プレーン機能エンティティから送信される伝送経路更新確認メッセージを受信することとをさらに含む請求項４に記載の方法。
【請求項９】
切替シナリオでのＱｏＳパラメータ処理方法において、
ＱｏＳ  ｆｌｏｗに基づくＱｏＳパラメータおよび／またはＲＢに基づくＱｏＳパラメータが含まれる切替要求メッセージを、コアネットワーク制御プレーン機能エンティティからターゲット基地局に送信することを含み、
ここで、前記ＱｏＳ  ｆｌｏｗに基づくＱｏＳパラメータまたはＲＢに基づくＱｏＳパラメータは、前記ターゲット基地局の受付制御に用いられる方法。
【請求項１０】
前記ターゲット基地局の受付が成功または失敗したＱｏＳ  ｆｌｏｗまたはＲＢの情報が含まれる切替要求確認メッセージを、前記コアネットワーク制御プレーン機能エンティティが前記ターゲット基地局から受信することと、
前記コアネットワーク制御プレーン機能エンティティからソース基地局に切替指令を送信することとをさらに含む請求項９に記載の方法。
【請求項１１】
切替シナリオでのＱｏＳパラメータ処理方法において、
ＱｏＳ  ｆｌｏｗに基づくＱｏＳパラメータおよび／またはＲＢに基づくＱｏＳパラメータが含まれる切替要求メッセージを、ターゲット基地局がコアネットワーク制御プレーン機能エンティティから受信することと、
前記ターゲット基地局が、前記ＱｏＳ  ｆｌｏｗに基づくＱｏＳパラメータまたはＲＢに基づくＱｏＳパラメータに基づいて、受付制御を行うこととを含む方法。
【請求項１２】
前記ターゲット基地局が、ＱｏＳ  ｆｌｏｗに基づくＱｏＳパラメータに基づいて、前記ターゲット基地局のＱｏＳ  ｆｌｏｗからＲＢへの集合マッピング関係、および、対応するＲＢの配置パラメータを生成することをさらに含む請求項１１に記載の方法。
【請求項１３】
前記切替要求メッセージは、ソース基地局によって生成されたＱｏＳ  ｆｌｏｗからＲＢへのマッピング関係をさらに含み、
前記ターゲット基地局が、前記ソース基地局によって生成されたＱｏＳ  ｆｌｏｗからＲＢへのマッピング関係に基づいて、前記ターゲット基地局のＱｏＳ  ｆｌｏｗからＲＢへの集合マッピング関係、および、対応するＲＢの配置パラメータを生成することをさらに含む請求項１１に記載の方法。
【請求項１４】
前記ターゲット基地局の受付が成功または失敗したＱｏＳ  ｆｌｏｗまたはＲＢの情報が含まれる切替要求確認メッセージを、前記ターゲット基地局から前記コアネットワーク制御プレーン機能エンティティに送信することをさらに含む請求項１１に記載の方法。
【請求項１５】
ＱｏＳ  ｆｌｏｗに基づくＱｏＳパラメータおよび／またはＲＢに基づくＱｏＳパラメータが含まれる切替要求メッセージを、ターゲット基地局に送信することに用いられる第１送信モジュールを含み、
ここで、前記ＱｏＳ  ｆｌｏｗに基づくＱｏＳパラメータまたはＲＢに基づくＱｏＳパラメータは、前記ターゲット基地局の受付制御に用いられるソース基地局。
【国際調査報告】
2019525629.tif 000019
2019525629.tif 000020
2019525629.tif 000021
2019525629.tif 000022